(57)【特許請求の範囲】
【請求項１】
サービング無線ノードにおいて使用される方法（１６００）であって、前記サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介して前記サービング無線ノードに接続される、１つまたは複数のクライアント無線ノードをサーブし、前記方法は、
前記サービング無線ノードに対するサウンディングおよびセンシング関連の設定を、前記サービング無線ノードを制御する制御ノードから受信すること（Ｓ１６１０）であって、前記サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している、受信すること（Ｓ１６１０）と、
前記１つまたは複数の無線リンクのそれぞれの無線リンクに対して設定された前記サービング無線ノードの受信機（ＲＸ）の無線周波数（ＲＦ）チェーンを通じて、前記受信されたサウンディングおよびセンシング関連の設定に基づいて、前記無線リンクの方向にあるすべてのサウンディング信号をセンシングすること（Ｓ１６２０）と
を含み、
前記受信されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、前記サービング無線ノードによるセンシングのために、センシングのウィンドウとして設定され、これらのうちの残りのサウンディングおよびセンシングのウィンドウは、前記サービング無線ノードによるサウンディングのために、サウンディングのウィンドウとして設定される、方法（１６００）。
【請求項２】
前記サービング無線ノードに対する前記サウンディングのウィンドウは、時間領域内で、それぞれの隣接する無線ノードに対するセンシングのウィンドウに対応する、請求項１に記載の方法（１６００）。
【請求項３】
それぞれのサウンディングおよびセンシングのウィンドウは、同じまたは異なる数のサウンディングおよびセンシングのリソースエレメントを有する、請求項１または２に記載の方法（１６００）。
【請求項４】
それぞれのサウンディングおよびセンシングのウィンドウは、連続的または非連続的なサウンディングおよびセンシングのリソースエレメントを有する、請求項１から３のいずれか一項に記載の方法（１６００）。
【請求項５】
前記受信されたサウンディングおよびセンシング関連の設定によって指示された１つまたは複数のサウンディングおよびセンシングのリソースエレメントを、前記１つまたは複数の無線リンクに割り当てること（Ｓ１６３０）をさらに含む、請求項１から４のいずれか一項に記載の方法（１６００）。
【請求項６】
前記センシングすることは、前記受信されたサウンディングおよびセンシング関連の設定によって指示されたすべてのセンシングのリソースエレメントにおいて実施される、請求項１から５のいずれか一項に記載の方法（１６００）。
【請求項７】
前記センシングすることは、前記受信されたサウンディングおよびセンシング関連の設定によって指示された一部またはすべてのサウンディングのリソースエレメントにおいてさらに実施される、請求項１から６のいずれか一項に記載の方法（１６００）。
【請求項８】
前記サービング無線ノードの受信機（ＲＸ）の無線周波数（ＲＦ）チェーンの数が、前記サービング無線ノードが受信機としてサーブするすべての無線リンクの数より少ないとき、前記受信されたサウンディングおよびセンシング関連の設定、ならびに１つまたは複数の事前定義されたパラメータに基づいて、前記１つまたは複数の無線リンクのそれぞれの無線リンクに対するセンシングの期間を調節することと、
前記１つまたは複数の無線リンクのそれぞれの無線リンクに対して設定された前記サービング無線ノードのＲＸのＲＦチェーンを通じて、前記調節されたセンシングの期間に基づいて、前記無線リンクの方向にあるすべてのサウンディング信号をセンシングすることと
をさらに含む、請求項１から７のいずれか一項に記載の方法（１６００）。
【請求項９】
前記１つまたは複数の事前定義されたパラメータは、
リンクの無線品質、
リンクのレート、または
リンクのトラフィック優先度
のうちの少なくとも１つを含む、請求項８に記載の方法（１６００）。
【請求項１０】
サービング無線ノードを制御する制御ノードにおいて使用される方法（１９００）であって、前記サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介して前記サービング無線ノードに接続される、１つまたは複数のクライアント無線ノードをサーブし、前記方法は、
前記サービング無線ノードに対するサウンディングおよびセンシング関連の設定を決定すること（Ｓ１９１０）であって、前記サービング無線ノードに対する前記サウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している、決定すること（Ｓ１９１０）と、
前記決定されたサウンディングおよびセンシング関連の設定を前記サービング無線ノードに送信すること（Ｓ１９２０）と
を含み、
前記決定されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、前記サービング無線ノードによるセンシングのために、センシングのウィンドウとして設定され、これらのうちの残りのサウンディングおよびセンシングのウィンドウは、前記サービング無線ノードによるサウンディングのために、サウンディングのウィンドウとして設定される、方法（１９００）。
【請求項１１】
前記サービング無線ノードに対する前記サウンディングのウィンドウは、時間領域内で、それぞれの隣接する無線ノードに対するセンシングのウィンドウに対応する、請求項１０に記載の方法（１９００）。
【請求項１２】
それぞれのサウンディングおよびセンシングのウィンドウは、同じまたは異なる数のサウンディングおよびセンシングのリソースエレメントを有する、請求項１０または１１に記載の方法（１９００）。
【請求項１３】
それぞれのサウンディングおよびセンシングのウィンドウは、連続的または非連続的なサウンディングおよびセンシングのリソースエレメントを有する、請求項１０または１１に記載の方法（１９００）。
【請求項１４】
サービング無線ノードにおいて使用される方法（１８００）であって、前記サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介して前記サービング無線ノードに接続される、１つまたは複数のクライアント無線ノードをサーブし、前記方法は、
前記サービング無線ノードに対するサウンディングおよびセンシング関連の設定を、前記サービング無線ノードを制御する制御ノードから受信すること（Ｓ１８１０）と、
前記サービング無線ノードの受信機（ＲＸ）の無線周波数（ＲＦ）チェーンの数が、前記サービング無線ノードが受信機としてサーブする前記１つまたは複数の無線リンクの数より少ないとき、前記サウンディングおよびセンシング関連の設定、ならびに１つまたは複数の事前定義されたパラメータに基づいて、前記１つまたは複数の無線リンクのそれぞれの無線リンクに対するセンシングの期間を調節すること（Ｓ１８２０）と、
前記１つまたは複数の無線リンクのそれぞれの無線リンクに対して設定された前記サービング無線ノードのＲＸのＲＦチェーンを通じて、前記調節されたセンシングの期間に基づいて、前記無線リンクの方向にあるすべてのサウンディング信号をセンシングすること（Ｓ１８３０）と
を含む、方法（１８００）。
【請求項１５】
前記１つまたは複数の事前定義されたパラメータは、
リンクの無線品質、
リンクのレート、または
リンクのトラフィック優先度
のうちの少なくとも１つを含む、請求項１４に記載の方法（１８００）。
【請求項１６】
ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノード（２０００）に接続される、１つまたは複数のクライアント無線ノードをサーブするサービング無線ノード（２０００）であって、
前記サービング無線ノードに対するサウンディングおよびセンシング関連の設定を、前記サービング無線ノードを制御する制御ノードから受信するように設定された受信ユニット（２０１０）であって、前記サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している、受信ユニット（２０１０）と、
前記１つまたは複数の無線リンクのそれぞれの無線リンクに対して設定された前記サービング無線ノードの受信機（ＲＸ）の無線周波数（ＲＦ）チェーンを通じて、前記受信されたサウンディングおよびセンシング関連の設定に基づいて、前記無線リンクの方向にあるすべてのサウンディング信号をセンシングするように設定されたセンシングユニット（２０２０）と
を含み、
前記受信されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、前記サービング無線ノードによるセンシングのために、センシングのウィンドウとして設定され、これらのうちの残りのサウンディングおよびセンシングのウィンドウは、前記サービング無線ノードによるサウンディングのために、サウンディングのウィンドウとして設定される、サービング無線ノード（２０００）。
【請求項１７】
前記サービング無線ノードに対する前記サウンディングのウィンドウは、時間領域内で、それぞれの隣接する無線ノードに対するセンシングのウィンドウに対応する、請求項１６に記載のサービング無線ノード（２０００）。
【請求項１８】
それぞれのサウンディングおよびセンシングのウィンドウは、同じまたは異なる数のサウンディングおよびセンシングのリソースエレメントを有する、請求項１６または１７に記載のサービング無線ノード（２０００）。
【請求項１９】
それぞれのサウンディングおよびセンシングのウィンドウは、連続的または非連続的なサウンディングおよびセンシングのリソースエレメントを有する、請求項１６から１８のいずれか一項に記載のサービング無線ノード（２０００）。
【請求項２０】
前記受信されたサウンディングおよびセンシング関連の設定によって指示された１つまたは複数のサウンディングおよびセンシングのリソースエレメントを、前記１つまたは複数の無線リンクに割り当てるように設定された割り当てユニット（２０３０）
をさらに含む、請求項１６から１８のいずれか一項に記載のサービング無線ノード（２０００）。
【請求項２１】
前記センシングユニット（２０２０）は、前記受信されたサウンディングおよびセンシング関連の設定によって指示されたすべてのセンシングのリソースエレメント内で前記センシングを実施するように設定される、請求項１６から２０のいずれか一項に記載のサービング無線ノード（２０００）。
【請求項２２】
前記センシングユニット（２０２０）は、前記受信されたサウンディングおよびセンシング関連の設定によって指示された一部またはすべてのサウンディングのリソースエレメント内で前記センシングをさらに実施するように設定される、請求項１６から２１のいずれか一項に記載のサービング無線ノード（２０００）。
【請求項２３】
前記サービング無線ノードの受信機（ＲＸ）の無線周波数（ＲＦ）チェーンの数が、前記サービング無線ノードが受信機としてサーブするすべての無線リンクの数より少ないとき、前記受信されたサウンディングおよびセンシング関連の設定、ならびに１つまたは複数の事前定義されたパラメータに基づいて、前記１つまたは複数の無線リンクのそれぞれの無線リンクに対するセンシングの期間を調節するようにさらに設定される調節ユニット（２０４０）をさらに含み、
前記センシングユニット（２０２０）は、前記１つまたは複数の無線リンクのそれぞれの無線リンクに対して設定された前記サービング無線ノードのＲＸのＲＦチェーンを通じて、前記調節されたセンシングの期間に基づいて、前記無線リンクの方向にあるすべてのサウンディング信号をセンシングするようにさらに設定される、請求項１６から２２のいずれか一項に記載のサービング無線ノード（２０００）。
【請求項２４】
前記１つまたは複数の事前定義されたパラメータは、
リンクの無線品質、
リンクのレート、または
リンクのトラフィック優先度
のうちの少なくとも１つを含む、請求項２３に記載のサービング無線ノード（２０００）。
【請求項２５】
サービング無線ノードを制御する制御ノード（２２００）であって、前記サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介して前記サービング無線ノードに接続される、１つまたは複数のクライアント無線ノードをサーブし、前記制御ノードは、
前記サービング無線ノードに対するサウンディングおよびセンシング関連の設定を決定するように設定された決定ユニット（２２１０）であって、前記サービング無線ノードに対する前記サウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している、決定ユニット（２２１０）と、
前記決定されたサウンディングおよびセンシング関連の設定を前記サービング無線ノードに送信するように設定された送信ユニット（２２２０）と
を含み、
前記決定されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、前記サービング無線ノードによるセンシングのために、センシングのウィンドウとして設定され、これらのうちの残りのサウンディングおよびセンシングのウィンドウは、前記サービング無線ノードによるサウンディングのために、サウンディングのウィンドウとして設定される、制御ノード（２２００）。
【請求項２６】
前記サービング無線ノードに対する前記サウンディングのウィンドウは、時間領域内で、それぞれの隣接する無線ノードに対するセンシングのウィンドウに対応する、請求項２５に記載の制御ノード（２２００）。
【請求項２７】
それぞれのサウンディングおよびセンシングのウィンドウは、同じまたは異なる数のサウンディングおよびセンシングのリソースエレメントを有する、請求項２５または２６に記載の制御ノード（２２００）。
【請求項２８】
それぞれのサウンディングおよびセンシングのウィンドウは、連続的または非連続的なサウンディングおよびセンシングのリソースエレメントを有する、請求項２５または２６に記載の制御ノード（２２００）。
【請求項２９】
ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノード（２１００）に接続される、１つまたは複数のクライアント無線ノードをサーブするサービング無線ノード（２１００）であって、
前記サービング無線ノードに対するサウンディングおよびセンシング関連の設定を、前記サービング無線ノードを制御する制御ノードから受信するように設定された受信ユニット（２１１０）と、
前記サービング無線ノードの受信機（ＲＸ）の無線周波数（ＲＦ）チェーンの数が、前記サービング無線ノードが受信機としてサーブする前記１つまたは複数の無線リンクの数より少ないとき、前記サウンディングおよびセンシング関連の設定、ならびに１つまたは複数の事前定義されたパラメータに基づいて、前記１つまたは複数の無線リンクのそれぞれの無線リンクに対するセンシングの期間を調節するように設定された調節ユニット（２１２０）と、
前記１つまたは複数の無線リンクのそれぞれの無線リンクに対して設定された前記サービング無線ノードのＲＸのＲＦチェーンを通じて、前記調節されたセンシングの期間に基づいて、前記無線リンクの方向にあるすべてのサウンディング信号をセンシングするように設定されたセンシングユニット（２１３０）と
を含む、サービング無線ノード（２１００）。
【請求項３０】
前記１つまたは複数の事前定義されたパラメータは、
リンクの無線品質、
リンクのレート、または
リンクのトラフィック優先度
のうちの少なくとも１つを含む、請求項２９に記載のサービング無線ノード（２１００）。
【請求項３１】
実行されるとき、１つまたは複数のコンピューティングデバイスに、請求項１から１５のいずれか一項に記載の方法を実施させる命令（２３１０）を含む、コンピュータプログラム。
【発明の詳細な説明】
【技術分野】
【０００１】
本開示において提示された技術は、一般に、ワイヤレス通信ネットワークの技術分野に関する。より詳細には、本開示は、サービング無線ノードにおいて使用される方法および関連付けられたサービング無線ノード、ならびにサービング無線ノードを制御する制御ノードにおいて使用される方法および関連付けられた制御ノードに関する。
【背景技術】
【０００２】
本セクションは、本開示において説明される技術の様々な実施形態の背景を提供するために意図される。本セクションにおける説明は、追求されることがある概念、しかし必ずしも、以前に想像された、または追求されたものではない概念を含んでよい。したがって、本明細書において別段の指示がない限り、本セクションにおいて説明されることは、本開示の説明および／または特許請求の範囲に対する従来技術ではなく、本セクションに単に含めただけで従来技術であると認められるわけではない。
【０００３】
現在、３０ＧＨｚから３００ＧＨｚの高い周波数で動作するミリ波（ＭＭＷ）ワイヤレスシステムなどの、ワイヤレス通信ネットワークまたはシステムは、マルチＧｂ／ｓの速度を可能にすることによって急増する帯域幅の要件を満たすための、有望な技術として現れつつある。例えば、第５世代（５Ｇ）ネットワークは、エボルブド第３世代（３Ｇ）技術、第４世代（４Ｇ）技術、およびＭＭＷ無線アクセス技術（ＲＡＴ）とも呼ばれる超高密度ネットワーク（ＵＤＮ）などの、現れつつある、または実質的に新しい構成要素の組合せになりそうである。このような高い周波数において、大多数のアンテナは、送信機、受信機、または両方で利用可能であることがある。典型的に発生する大きな伝搬損失を補うために、ビーム形成は、ＭＭＷワイヤレスシステムにおいて、非常に重要な特性になる。
【０００４】
ビーム形成は、指向性信号の送信および／または受信のために使用される信号処理技法である。送信機（ＴＸ）がビーム形成するために、信号は、選択されたプリコーディングベクトルをＴＸアンテナアレイに適用することによって、所望の方向に集中される。受信機（ＲＸ）がビーム形成するために、受信機アンテナのＲＸビームは、選択されたプリコーディングベクトルをＲＸアンテナアレイに適用することによって、無線信号の入ってくる方向に集中される。ビーム形成は、空間的選択性を実現するために、送信および受信エンドの両方で使用されることがある。無指向性の受信／送信と比較される改善点は、ビーム形成利得として知られる。複数のアンテナが送信機、受信機、または両方で利用可能なとき、効率的なビームパターンをアンテナに適用し、対応するワイヤレスチャネルの空間的選択性をより良く活用することが、したがって重要である。
【０００５】
図１は、ＭＭＷのＲＡＴネットワークの１つの例を概略的に示す。図１に示されるように、中央制御装置（ＣＣＵ）と呼ばれるネットワークノードまたは制御ノードがあり、アクセスノード（ＡＮ）、例えば、ＡＮ１、ＡＮ２、ＡＮ３、およびＡＮ４の間のパラメータの設定および連携に対して少なくとも責任がある。
【０００６】
典型的には、受信機側における受信された電力は、
0006538208.tif 000002
として表現されることがあり、ここで、ＰＴＸは、送信電力であり、ＧＴＸおよびＧＲＸは、それぞれ、送信アンテナおよび受信アンテナのビーム形成利得であり、λは、波長であり、αは、媒体内での吸収による減衰因子である。６０ＧＨｚでのＭＭＷ波のリンクに対して、酸素の吸収損失は、１６ｄＢ／ｋｍの大きさに及ぶことがある。
【０００７】
上記の公式から、無線波の減衰が、
0006538208.tif 000003
に比例するものであることは明らかである。同じ伝搬距離では、６０ＧＨｚは、酸素吸収を考慮せずに、２ＧＨｚと比較して２９．５ｄＢを越えて減衰する。
【０００８】
このことを考慮すると、高利得ビーム形成は、余分の減衰を補償するために必須である。小さい波長のおかげで、より多くのアンテナ素子は、アンテナパネル内に同じサイズで統合されることができる。これは、より高いビーム形成利得に到達することを可能にする。しかし、数十、または数百ものアンテナ素子がある場合、それぞれのアンテナ素子に対する１つの無線周波数（ＲＦ）チェーン（ＴＸのＲＦチェーンまたはＲＸのＲＦチェーンのどちらか）は、容認できないコストのために適用できない。このようなケースにおいて、複数のアンテナ素子は、１つのＲＦチェーンを共有し、具体的なアナログ位相調節は、ビームの方向を調節し、ビーム形成利得を最大化するために、それぞれのアンテナに適用される。狭いＴＸビームのために、ビーコン信号の送信を操作して、ＡＮの発見エリアを有効にすること、およびビーム形成のトレーニングを予備形成して、ビーム形成利得を最大化することが必要とされる。
【０００９】
その一方で、高利得ビーム形成は、例えば、見つけにくい問題（ｈｉｄｄｅｎ  ｐｒｏｂｌｅｍ）および聞こえない問題（ｄｅａｆｎｅｓｓ  ｐｒｏｂｌｅｍ）を含む、課題を提起することがある。
【００１０】
図２は、高利得ビーム形成の指向性によって引き起こされる見つけにくい問題の例を図示する。図２に示されるように、リンクペア１は、アクセスポイント１（ＡＰ１）およびユーザ機器１（ＵＥ１）によって構成され、リンクペア２は、ＡＰ２およびＵＥ２によって構成される。ＡＰ２がＵＥ２に送信しているとき、ＡＰ１とＵＥ１の両方がＡＰ２からＵＥ２へのＴＸビームのカバレッジの外側にあるので、ＡＰ１またはＵＥ１のどちらも、ＡＰ２およびＵＥ２によって利用されるチャネルを検出できない。しかし、ＡＰ１がデータをＵＥ１に送信すると、このＴＸビームは、ＵＥ２に到達することができ、干渉を引き起こす。
【００１１】
図３は、高利得ビーム形成の指向性によって引き起こされる聞こえない問題の例を図示する。図３に示されるように、ＵＥ１およびＡＰ１は、リンクペア１を構成し、ＵＥ２およびＡＰ２は、リンクペア２を構成する。リンクペア２には、ＡＰ２からＵＥ２への進行中のデータ送信がある。しかし、これは、ＵＥ１がこの方向を監視（またはセンシング）しないので、ＵＥ１によって検出されない。しかし、ＵＥ１がデータ送信を開始すると、ＵＥ２によるデータ受信は、ＵＥ１とＵＥ２が互いに近いために明らかに影響を及ぼされることがある。
【００１２】
現在、ＭＭＷ−ＲＡＴの全体的なキャリアの帯域幅は、１ＧＨｚまたは２ＧＨｚまでになることがあると想定される。この帯域幅は、一定の帯域幅、例えば１００ＭＨｚの多くのサブ帯域キャリアによって、構成されることがある。例として、図４は、４つのサブ帯域を有する１つのＭＭＷ−ＲＡＴキャリアを図示する。図４における最小のリソースグリッドは、周波数領域内のサブ帯域に、および時間領域内のサブフレームに対応し、サウンディングおよびセンシングリソースエレメントと呼ばれることがある。当然、サウンディングおよびセンシングリソースエレメントは、コードの観点からであってもよい。
【００１３】
利用可能なリソースを割り当てるために、コンテンションベースのリソース割り当て方式、および／またはスケジューリングベースのリソース割り当て方式は、衝突回避の基本ポリシとしてＭＭＷ−ＲＡＴに適用されてよい。コンテンションベースのリソース割り当て方式は、チャネルの可用性に対する自主判断に基づいて、チャネルをめぐって競争するメカニズムを提供する。スケジューリングベースのリソース割り当て方式において、スケジューラ、例えば、図１に示されるようなＣＣＵは、最初にコンテンションベースの方法または連携方法のどちらかによって、リソースの可制御性を最初に得て、リソースを制御されたリンクに割り当てる。
【００１４】
コンテンションベースのリソース割り当て方式およびスケジューリングベースのリソース割り当て方式の一定の組合せがあることがある。図５は、ＭＭＷ−ＲＡＴネットワークにおける、複雑な干渉状況の例を図示する。図５に示されるように、高利得ビーム形成の指向性のために、リンク１およびリンク２は、耐えられないアップリンク（ＵＬ）からダウンリンク（ＤＬ）への干渉を有することがある一方、リンク５およびリンク６は、耐えられないＤＬからＤＬへの干渉およびＵＬからＤＬへの干渉を有することがある。
【００１５】
高利得ビーム形成の指向性のために、衝突判断は、全送信より複雑である。在来の測定は、前述の聞こえない問題および見つけにくい問題のために、あまり作用しない。加えて、ワイヤレスローカルエリアネットワーク（ＷＬＡＮ、８０２．１１）およびワイヤレスパーソナルエリアネットワーク（ＷＰＡＮ、８０２．１５）において商業的に使用されるキャリアセンシング方法が開発されるが、これらは、主に、ローカルアクセスシステムのためのものである。これは、分散型キャリアセンシング方式であり、すなわち、キャリアセンシングは、それぞれのノードペアによって、独立して行われる。ＭＭＷのＲＡＴに関して、第１に、ワイヤレスフィデリティ（ＷｉＦｉ）が目標とするものよりも、ＡＰおよびＵＥの複数のノードを伴う、より良い大きさにされた展開、ならびにより良いネットワークの可制御性（例えば、自己最適化、自己組織化、および機動性）があり得ることが期待される。第２に、ＭＭＷのＲＡＴは、ＷｉＦｉよりずっと良いサービスの品質（ＱｏＳ）を提供することを期待される。この意味では、ＷｉＦｉの単純な分散型キャリアセンシングよりも良い測定が望まれる。
【００１６】
３Ｇおよび４Ｇのワイヤレスシステムにおける干渉測定は、リンク間の干渉ではなく、主に、セル間／送信ポイント間の干渉を測定するためにデザインされる。ＭＭＷのＲＡＴのケースにおける小さいセクタサイズおよび大きな重複カバレッジのために、３Ｇまたは４Ｇのシステムに類似の測定は、衝突中のリンクを識別すること、および干渉管理を支援することには十分ではない。
【発明の概要】
【００１７】
本技術の様々な実施形態がなされてきたことは、上記の考察などを考慮してのものである。具体的に言うと、上記の欠点のうちの少なくともいくつかにねらいを定めて、本開示は、１つのＣＣＵの制御下にある隣接する無線ノードを、異なるサウンディングおよびセンシング関連の設定によって設定することを提案し、それによって、干渉測定を容易にする。
【００１８】
本開示の第１の態様によれば、サービング無線ノードにおいて使用される方法が提案される。サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。方法は、サービング無線ノードに対するサウンディングおよびセンシング関連の設定を、サービング無線ノードを制御する制御ノードから受信することを含む。サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している。方法は、１つまたは複数の無線リンクのそれぞれの無線リンクに対して設定されたサービング無線ノードのＲＸのＲＦチェーンを通じて、受信されたサウンディングおよびセンシング関連の設定に基づいて、無線リンクの方向にあるすべてのサウンディング信号をセンシングすることをさらに含む。
【００１９】
好ましくは、受信されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、サービング無線ノードによるセンシングのために、センシングのウィンドウとして設定され、これらのうちの残りのサウンディングおよびセンシングのウィンドウは、サービング無線ノードによるサウンディングのために、サウンディングのウィンドウとして設定される。
【００２０】
好ましくは、サービング無線ノードに対するサウンディングのウィンドウは、時間領域内で、それぞれの隣接する無線ノードに対するセンシングのウィンドウに対応する。
【００２１】
好ましくは、それぞれのサウンディングおよびセンシングのウィンドウは、同じまたは異なる数のサウンディングおよびセンシングのリソースエレメントを有する。
【００２２】
好ましくは、それぞれのサウンディングおよびセンシングのウィンドウは、連続的または非連続的なサウンディングおよびセンシングのリソースエレメントを有する。
【００２３】
好ましくは、方法は、受信されたサウンディングおよびセンシング関連の設定によって指示された１つまたは複数のサウンディングおよびセンシングのリソースエレメントを、１つまたは複数の無線リンクに割り当てることをさらに含む。
【００２４】
好ましくは、センシングすることは、受信されたサウンディングおよびセンシング関連の設定によって指示されたすべてのセンシングのリソースエレメントにおいて実施される。
【００２５】
好ましくは、センシングすることは、受信されたサウンディングおよびセンシング関連の設定によって指示された一部またはすべてのサウンディングのリソースエレメントにおいてさらに実施される。
【００２６】
好ましくは、方法は、サービング無線ノードのＲＸのＲＦチェーンの数が、サービングノードが受信機としてサーブするすべての無線リンクの数より少ないとき、受信されたサウンディングおよびセンシング関連の設定、ならびに１つまたは複数の事前定義されたパラメータに基づいて、１つまたは複数の無線リンクのそれぞれの無線リンクに対するセンシングの期間を調節することと、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングすることとをさらに含む。
【００２７】
好ましくは、１つまたは複数の事前定義されたパラメータは、リンクの無線品質、リンクのレート、またはリンクのトラフィック優先度のうちの少なくとも１つを含む。
【００２８】
本開示の第２の態様によれば、サービング無線ノードを制御する制御ノードにおいて使用される方法が提案される。サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。方法は、サービング無線ノードに対するサウンディングおよびセンシング関連の設定を決定することであって、サービング無線ノードに対するサウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している、決定することと、決定されたサウンディングおよびセンシング関連の設定をサービング無線ノードに送信することとを含む。
【００２９】
本開示の第３の態様によれば、サービング無線ノードにおいて使用される方法が提案される。サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。方法は、サービング無線ノードに対するサウンディングおよびセンシング関連の設定を、サービング無線ノードを制御する制御ノードから受信することと、サービング無線ノードのＲＸのＲＦチェーンの数が、サービングノードが受信機としてサーブする１つまたは複数の無線リンクの数より少ないとき、サウンディングおよびセンシング関連の設定、ならびに１つまたは複数の事前定義されたパラメータに基づいて、１つまたは複数の無線リンクのそれぞれの無線リンクに対するセンシングの期間を調節することと、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングすることとを含む。
【００３０】
本開示の第４の態様によれば、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブするサービング無線ノードが提案される。サービング無線ノードは、サービング無線ノードに対するサウンディングおよびセンシング関連の設定を、サービング無線ノードを制御する制御ノードから受信するように設定された受信ユニットであって、サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している、受信ユニットと、１つまたは複数の無線リンクのそれぞれの無線リンクに対して設定されたサービング無線ノードのＲＸのＲＦチェーンを通じて、受信されたサウンディングおよびセンシング関連の設定に基づいて、無線リンクの方向にあるすべてのサウンディング信号をセンシングするように設定されたセンシングユニットとを含む。
【００３１】
本開示の第５の態様によれば、サービング無線ノードを制御する制御ノードが提案される。サービング無線ノードは、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。制御ノードは、サービング無線ノードに対するサウンディングおよびセンシング関連の設定を決定するように設定された決定ユニットであって、サービング無線ノードに対するサウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している、決定ユニットと、決定されたサウンディングおよびセンシング関連の設定をサービング無線ノードに送信するように設定された送信ユニットとを含む。
【００３２】
本開示の第６の態様によれば、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブするサービング無線ノードが提案される。サービング無線ノードは、サービング無線ノードに対するサウンディングおよびセンシング関連の設定を、サービング無線ノードを制御する制御ノードから受信するように設定された受信ユニットと、サービング無線ノードのＲＸのＲＦチェーンの数が、サービングノードが受信機としてサーブする１つまたは複数の無線リンクの数より少ないとき、サウンディングおよびセンシング関連の設定、ならびに１つまたは複数の事前定義されたパラメータに基づいて、１つまたは複数の無線リンクのそれぞれの無線リンクに対するセンシングの期間を調節するように設定された調節ユニットと、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングするように設定されたセンシングユニットとを含む。
【００３３】
本開示の第７の態様によれば、実行されるとき、１つまたは複数のコンピューティングデバイスに、第１から第３の態様のうちのいずれかの方法を実施させる命令を格納するコンピュータプログラム製品が提案される。
【００３４】
本開示によれば、１つのＣＣＵの制御下にある隣接する無線ノードは、１つの無線ノードのサウンディングおよびセンシング関連の設定によって指示されたそれぞれのサウンディングのリソースエレメントが、その隣接する無線ノードのそれぞれに対するサウンディングおよびセンシング関連の設定によって指示されたそれぞれのサウンディングのリソースエレメントに対して直交しているという手法で、異なるサウンディングおよびセンシング関連の設定によって設定される。このケースにおいて、無線ノードのＴＸのＲＦチェーンは、そのリンクの方向にサウンディング信号を送信するために、リソースエレメントによって設定され、それに対応して、無線ノードの隣接するノードのＲＸのＲＦチェーンは、そのリンクの方向にあるすべての可能性のあるサウンディング信号をセンシング（監視）するために、同じリソースエレメントによって設定される。すなわち、無線ノードが、指向性サウンディングの状態にある（すなわち、ＴＸの状態にある）とき、それぞれの隣接する無線ノードは、指向性サウンディング信号をセンシングしている（すなわち、ＲＸの状態にある）はずである。これは、干渉測定の精度を改善しながら、干渉測定を容易にする。
【００３５】
本開示の前述のおよび他の特性は、添付の図面と併用され、以下の説明および添付の特許請求の範囲からより完全に明白になるであろう。これらの図面が、本開示によるいくつかの実施形態のみを描写し、したがって、本開示の範囲を限定するものと考慮されるべきではないことを理解しながら、本開示は、添付の図面を使用して、さらに具体的かつ詳細に説明される。
【図面の簡単な説明】
【００３６】
【図１】ＭＭＷのＲＡＴネットワークの１つの例を概略的に示す図である。
【図２】高利得ビーム形成の指向性によって引き起こされる見つけにくい問題の例を図示する図である。
【図３】高利得ビーム形成の指向性によって引き起こされる聞こえない問題の例を図示する図である。
【図４】４つのサブ帯域を有する１つのＭＭＷ−ＲＡＴキャリアを図示する図である。
【図５】ＭＭＷ−ＲＡＴネットワークにおける複雑な干渉状況の例を図示する図である。
【図６】本明細書における実施形態が実装されることがあるワイヤレス通信ネットワークの例を描写する図である。
【図７】本開示の実施形態による制御ノードにおいて実施される方法７００の流れ図を示す図である。
【図８】本開示の実施形態による一般的なサウンディングおよびセンシングのリソース割り当て構造を図示する図である。
【図９】本開示の実施形態によるリンクの受信ノードにおいて実施される方法９００の流れ図を示す図である。
【図１０】本開示の実施形態によるセンシングのリソース割り当て構造の例を図示する図である。
【図１１】本開示の実施形態によるリンクの送信ノードにおいて実施される方法１１００の流れ図を示す図である。
【図１２】本開示の実施形態によるサウンディングのリソース割り当て構造の例を図示する図である。
【図１３】本開示による、ＤＳＳＩをＤＳＳＷに分割する３つの例を図示する図である。
【図１４】本開示による、３つの例示的なＤＳＳＩの設定を示す図である。
【図１５】本開示による、ＣＣＵの制御下にある２つの例示的なネットワーク展開を図示する図である。
【図１６】本開示の実施形態による、サービング無線ノードにおいて使用される方法１６００の流れ図を示す図である。
【図１７】本開示の実施形態による、例示的なＤＳＳＩのパターンを図示する図である。
【図１８】本開示の実施形態による、サービング無線ノードにおいて使用される方法１８００の流れ図を示す図である。
【図１９】本開示の実施形態による、サービング無線ノードを制御する制御ノードにおいて使用される方法１９００の流れ図を示す図である。
【図２０】本開示による、サービング無線ノード２０００の概略ブロック図である。
【図２１】本開示による、別のサービング無線ノード２１００の概略ブロック図を示す図である。
【図２２】本開示の実施形態による、サービング無線ノードを制御する制御ノード２２００の概略ブロック図である。
【図２３】本開示による、サービング無線ノード２０００、サービング無線ノード２１００、または制御ノード２２００において使用されることがある、配置２３００の実施形態を概略的に示す図である。
【図２４】本開示によるＡＤＳＳのサブ機能性モジュール、およびプロトコル層に対するこれらの対応するマッピングを図示する図である。
【図２５】本開示による例示的な設定のシグナリングフローを概略的に図示する図である。
【図２６】本開示による例示的なセンシング結果のシグナリングフローを概略的に図示する図である。
【図２７】本開示によるスケジューリングベースのリソース割り当てに対する例示的なシグナリングフローを概略的に図示する図である。
【発明を実施するための形態】
【００３７】
以下に、本開示は、添付の図面に示された実施形態を参照しながら説明される。しかし、これらの説明は、例証的な目的のために提供されるにすぎず、本開示を限定するものではないことを理解されたい。さらに、以下において、既知の構造および技法の説明は、本開示の概念を必要以上にあいまいにしないように省略される。
【００３８】
まず第１に、本開示は、例えば、ＭＭＷのＲＡＴネットワークにおいて、指向性サウンディングおよびセンシングのパラメータ（以下に、本ソリューションは、調整された指向性サウンディングおよびセンシング（ＡＤＳＳ）と呼ばれてよい）を調整することを提案する。具体的に言うと、本開示は、それぞれのリンクペア（すなわち、リンクの送信機および受信機）の送信機を、時間−周波数の無線リソースパターンで、そのリンクの方向に、指向性サウンディングビームを送るように設定し、それに対応して、それぞれのリンクペアの受信機を、同じ時間−周波数の無線リソースパターンで、そのリンク方向にあるすべての可能性のあるサウンディング信号を指向的に監視するように設定する。それによって、すべてのリンクペアの受信機は、これらの対応する送信機が指向性サウンディング信号を送っているとき、指向性センシング状態にあってよい。このようにして、犠牲となるリンクペアおよび干渉するリンクペアは、精密に識別されることができ、相互の干渉レベルは、測定されることができる。すなわち、ＭＭＷのＲＡＴネットワークの効果的なリンク間の干渉マップ（指向性リンク干渉マップ（ＤＬＩＭ）とも呼ばれる）は、導き出されることができる。このような測定情報は、リソース割り当て方式、例えば、時間、周波数、および送信電力リソースを拡張するために使用されてよい。
【００３９】
図６は、ＡＤＳＳが実装されることがあるワイヤレス通信ネットワークの例を描写する。ワイヤレス通信ネットワークは、中央制御装置（ＣＣＵ）６００、および（アクセスノード（ＡＮ）とも呼ばれる）複数の無線ノードを備え、そのうち、６つのＡＮが図６に描写される。ＣＣＵ６００は、ＬＴＥネットワーク、任意の第３世代パートナーシッププロジェクト（３ＧＰＰ）のセルラーネットワーク、ＭＷＶネットワーク、Ｗｉｍａｘネットワーク、ＷＬＡＮ／Ｗｉ−Ｆｉ、ＷＰＡＮ他などの、任意のワイヤレスシステムまたはセルラーネットワークにおける、ノードＢ、基地局（ＢＳ）、ｅＮＢ、ｅノードＢ、ホームノードＢ、ホームｅノードＢ、中継ノード、ＡＰ、またはＡＮ内のパラメータの設定および連携に対して、ならびにＡＮ内の無線リンクを制御すること対して少なくとも責任がある、任意の他の制御ノードもしくはネットワークノードであってよい。それぞれの無線ノードは、例えば、ワイヤレスデバイス、モバイルワイヤレス端末もしくはワイヤレス端末、携帯電話、ラップトップ、パーソナルデジタルアシスタント（ＰＤＡ）、もしくは時として、ファブレットと呼ばれ、ワイヤレス能力を有するタブレット型コンピュータなどのコンピュータ（前述の無線ノードは、一括してＵＥとして知られることがある）、ワイヤレス能力を有するセンサもしくはアクチュエータ、またはワイヤレス通信ネットワークにおける無線リンク上で通信できる任意の他の無線ネットワークユニットであってよい。本文書内で使用される用語「無線ノード」または「ＡＮ」は、マシン型通信（ＭＴＣ）デバイスとも表されるマシンツーマシン（Ｍ２Ｍ）デバイスなどの、他のワイヤレスデバイスもカバーすることに留意されたい。この例では、４つのＡＮが、ＡＰ、すなわち、ＡＰ６１０、ＡＰ６２０、ＡＰ６３０、およびＡＰ６４０として例示され、２つのＡＮが、ＵＥ、すなわち、ＵＥ６５０およびＵＥ６６０として例示される。その上、それぞれのＡＮは、異なる無線リンクにおける送信ノードまたは受信ノードのどちらかとしてみなされてよい。例えば、ＡＰ６１０がデータをＵＥ６５０に送信するリンクにおいて、ＡＰ６１０は送信ノードであり、ＵＥ６５０は受信ノードである。対照的に、ＡＰ６１０がデータをＵＥ６５０から受信するリンクにおいて、ＡＰ６１０は受信ノードであり、ＵＥ６５０は送信ノードである。別の言い方をすると、無線ノードまたはＡＮは、その役割に応じて、クライアント無線ノードまたはサービング無線ノードのどちらかであってよい。例えば、無線ノードが、図６に示されるようなＵＥ６６０である場合、ＡＰ６２０は、そのサービング無線ノードをサーブする。ＵＥは、ＵＥがホットポイントとしてサーブし、他のＵＥをサーブするとき、サービング無線ノードの役割を果たすことがあることも可能である。このケースにおいて、サービング無線ノードはＵＥであり、クライアント無線ノードは、ＵＥによってサーブされる他のＵＥであってよい。
【００４０】
図７は、本開示の実施形態による、制御ノード、例えば、図６におけるＣＣＵ６００において実施される方法７００の流れ図を示す。具体的に言うと、方法７００は、ネットワーク側でＡＤＳＳを実装するために使用される。
【００４１】
ステップＳ７１０において、制御ノードは、リンク、例えば、図６に示されるようなＡＰ６１０とＵＥ６５０との間の無線リンクに対するサウンディングおよびセンシング関連のパラメータを決定する。決定されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔（すなわち、サウンディングおよびセンシングのための継続時間）を含む。
【００４２】
実行可能な実装形態として、制御ノードは、例えば、リンクの終端、例えば、ＡＰ６１０またはＵＥ６５０他のどちらかからの、リンクのセットアップリクエストの受信時にサウンディングおよびセンシング関連のパラメータを決定してよい。
【００４３】
ステップＳ７２０において、制御ノードは、決定されたサウンディングおよびセンシング関連のパラメータを、リンクの送信ノードおよび受信ノードに送信する。例えば、図６に示されるように、送信ノードはＡＰ６１０であり、受信ノードはＵＥ６５０である。
【００４４】
１つの実装形態において、共通のサウンディングおよびセンシング関連のパラメータは、受信ノードがそのセンシング結果を制御ノードに報告するためのルールをさらに含んでよい。
【００４５】
別の実装形態において、リンクに対する専用のサウンディングおよびセンシング関連のパラメータは、送信ノードがサウンディング信号を送信するためにサウンディングのリソースエレメントを指定するための、サウンディングのリソースパラメータを含んでよい。指定されたサウンディングのリソースエレメントは、時間、周波数、およびコードのうちの少なくとも１つまたは複数の観点からのものである。
【００４６】
別の実装形態において、方法７００は、以下のステップ（図示せず）、すなわち、制御ノードの制御下にあるすべてのリンクのすべての受信ノードから、１つまたは複数のセンシング結果を受信すること、受信された１つまたは複数のセンシング結果に基づいて、ＤＬＩＭを決定すること、および決定されたＤＬＩＭに基づいて、制御ノードによって制御されるすべてのリンク内のデータ送信のために、リソース割り当て方式またはリソース割り当て方針を決定することをさらに含んでよい。
【００４７】
方法７００による１つの大きな利点は、これらの隣接するリンクの送信ノードが指向性サウンディング信号を送っているとき、すべてのリンクペアの受信ノードは、指向性センシング状態にあってよいということである。これは、１つのリンクが、すべての干渉するリンクを識別し、これらの干渉するリンクからの干渉レベルを測定することを可能にし、このことに基づいて、ネットワークは、異なるリンク間の衝突を回避および／または制御しながら、周波数リソースの空間的再使用を効率的に改善できる。
【００４８】
図８は、本開示の実施形態による、一般的なサウンディングおよびセンシングのリソース割り当て構造を図示する。
【００４９】
図８に示されるように、指向性サウンディングおよびセンシングの期間（ＤＳＳＰ）は、サウンディングおよびセンシングの期間を表し、指向性サウンディングおよびセンシングの間隔（ＤＳＳＩ）は、サウンディングおよびセンシングの間隔、すなわち、サウンディングおよびセンシングに対するウィンドウ／継続時間を表す。ＤＳＳＰおよびＤＳＳＩは、制御ノードによって制御されるすべてのリンクに対する共通のサウンディングおよびセンシング関連のパラメータであり、制御ノードによって決定されてよい。
【００５０】
ＤＳＳＰおよびＤＳＳＩは、主に、時間領域の観点からのものである。例えば、ＤＳＳＰおよびＤＳＳＩは両方、時間ウィンドウのことを指す。このケースにおいて、それぞれのリンクの送信ノードは、ＤＳＳＩによって規定された時間ウィンドウの間、リンクの方向にあるリンクの受信ノードに、サウンディング信号を送信してよく、受信ノードは、同じ時間ウィンドウの間、リンクの方向にあるすべてのサウンディング信号をセンシングする。それによって、リンク間の干渉、例えば、図５に示されるような、リンク５とリンク６との間のＤＬ−ＤＬ干渉は、効率的な手法でセンシングされてよい。
【００５１】
任意選択で、ＤＳＳＰおよびＤＳＳＩは、さらに、周波数領域の観点からのものであってよい。例えば、ＤＳＳＩは、リンクの送信ノード／受信ノードによって使用されることになる１つまたは複数のサブ帯域をさらに規定してよい。
【００５２】
ＤＳＳＩの内部には、多くのサウンディングおよびセンシングリソースエレメントがあり、これらのうちいくつかは、専用のサウンディングおよびセンシング関連のパラメータを用いて、サウンディング信号を送信するためにリンクに割り当てられ、したがって、サウンディングリソースユニット（ＳＲＵ）と呼ばれる。１つのサウンディングおよびセンシングリソースエレメントは、時間、周波数、およびコードのうちの少なくとも１つまたは複数の観点から規定されてよい。例えば、１つのサウンディングおよびセンシングリソースエレメントは、直交シーケンスに加えて、１つの時間−周波数リソースユニットとして規定されてよい。これは、複数のサウンディング信号は、直交シーケンスを使用することによって、１つの時間−周波数ユニットに対して多重化されてよいことを意味する。
【００５３】
実際には、ＤＳＳＩの長さは、ネットワーク内のリンク密度に基づいて決定されてよく、ＤＳＳＰの長さは、ＴＸ／ＲＸ両方の方向変化およびＴＸ電力の変化を含む、リンクペアのＴＸ／ＲＸビームの変化を追跡するのに十分短くてよい。
【００５４】
例示的なＤＬＩＭは、図５を参照することによって説明され得る。図５に示されるように、ＤＬＩＭは、それぞれのリンク（リンクｉ、例えば、図５に示されるような、リンク１〜リンク６のうちの任意の１つ）の送信機からの受信されたサウンディング信号電力、およびサウンディング信号がリンク（リンクｉ）の受信機によって検出される他のリンクからの受信されたサウンディング信号強度を指示することができる。
【００５５】
ＤＬＩＭは、第１のリンクの送信機がかなりの干渉を第２のリンクの受信機にもたらすかどうかを識別してよい。かなりの干渉がもたらされている場合、干渉レベルおよび対応するリンクのアイデンティティは、ＤＬＩＭに含まれる。サウンディング信号（ＳＲＵ）および受信機から報告された対応する信号強度に応じて、制御ノードは、リンク、および受信機に対する対応する干渉レベルを識別してよい。
【００５６】
例えば、ＤＬＩＭは、受信機からの新しい指向性サウンディング報告の受信時、またはリンクのセットアップ／リンクの解放時に更新されてよい。
【００５７】
このようなＤＬＩＭで、本開示は、無線リソース割り当て（例えば、時間、周波数、およびＴＸ電力リソース）を拡張することができ、その結果、空間的再使用は、効率的になり、十分に改善されることができる。
【００５８】
図９は、本開示の実施形態による、図６に示されるような、ＡＰ６１０とＵＥ６５０との間の無線リンクなどの、リンクの受信ノードにおいて実施される方法９００の流れ図を示す。具体的に言うと、方法９００は、受信側でＡＤＳＳを実施するために使用される。このケースにおいて、受信ノードは、ＡＰ６１０またはＵＥ６５０であってよい。例証のために、ＵＥ６５０は、ここで、受信ノードとして受け取られ、それに対応して、ＡＰ６１０は、受信ノードに対する対応する送信ノードとしてサーブし、逆もまた同様である。
【００５９】
ステップＳ９１０において、ＵＥ６５０は、リンクに対するサウンディングおよびセンシング関連のパラメータを、制御ノード、例えば、図６におけるＣＣＵ６００から受信する。受信されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔を含む。
【００６０】
ステップＳ９２０において、ＵＥ６５０は、受信されたサウンディングおよびセンシング関連のパラメータに基づいて、リンクの方向にあるすべてのサウンディング信号をセンシングする。
【００６１】
ステップＳ９３０において、ＵＥ６５０は、１つまたは複数のセンシング結果を制御ノードに報告する。
【００６２】
１つの実装形態において、共通のサウンディングおよびセンシング関連のパラメータは、ＵＥ６５０が１つまたは複数のセンシング結果を制御ノードに報告するためのルールをさらに含む。
【００６３】
サウンディング間隔の間、すべての受信ノードは、そのリンク方向に対して盲目的に監視状態にあることになる。それぞれの受信ノードは、そのリンクの入ってくる方向にそのＲＸビームを向けることになる。１つのサウンディング期間中、ＲＸビームの調節のための余地をいくらか残すために、指向性センシングのためのＲＸビームは、実際にデータを受信するためのＲＸビームより広いことがある。
【００６４】
盲目的な検出を介して、受信ノードは、検出されたサウンディング信号のＳＲＵに関する情報を決定してよい。この情報は、干渉する可能性のある送信機の識別のために、制御ノードに報告されることになる。そのほかに、受信ノードは、それぞれの検出されたサウンディング信号の強度をさらに測定してよい。この測定結果は、ＣＣＵに報告されて、ＤＬＩＭを導き出すことになる、これは、干渉を制御するために、送信機のためのＴＸ電力に許される最大値、または干渉の連携パターンを決定するために使用されてよい。
【００６５】
図１０は、本開示の実施形態による、センシングのリソース割り当て構造の例を図示する。図１０に示されるように、それぞれの受信ノードは、ＤＳＳＩの間、すべてのＳＲＵに対して、そのリンク方向にあるすべての可能性のあるサウンディング信号をセンシングしてよい。
【００６６】
方法９００による１つの大きな利点は、受信ノードは、時間ウィンドウ内で、リンクの方向にあるすべてのサウンディング信号をセンシングでき、その間、隣接するリンクの送信ノードは、サウンディング信号を送信しているというものである。方法９００が２つの隣接するリンクに適用されるとき、これらの２つのリンクの間の干渉は、効率的な手法でセンシングされてよい。
【００６７】
図１１は、本開示の実施形態による、図６に示されるような、ＡＰ６１０とＵＥ６５０との間の無線リンクなどの、リンクの送信ノードにおいて実施される方法１１００の流れ図を示す。具体的に言うと、方法９００は、送信側でＡＤＳＳを実施するために使用される。このケースにおいて、送信ノードは、ＡＰ６１０またはＵＥ６５０であってよい。例証のために、ＡＰ６１０は、ここで、送信ノードとして受け取られ、それに対応して、ＵＥ６５０は、送信ノードに対する対応する受信ノードとしてサーブし、逆もまた同様である。
【００６８】
ステップＳ１１１０において、ＡＰ６１０は、リンクに対するサウンディングおよびセンシング関連のパラメータを、制御ノード、例えば、図６に示されるような、ＣＣＵ６００から受信する。受信されたサウンディングおよびセンシング関連のパラメータは、リンクに対する専用のサウンディングおよびセンシング関連のパラメータ、ならびに制御ノードによって制御されるすべてのリンクに対する共通のサウンディングおよびセンシング関連のパラメータを含む。共通のサウンディングおよびセンシング関連のパラメータは、サウンディングおよびセンシングの期間、ならびにサウンディングおよびセンシングの間隔、例えば、図８に示されるような、ＤＳＳＰおよびＤＳＳＩを含む。
【００６９】
ステップＳ１１２０において、ＡＰ６１０は、サウンディングおよびセンシング関連のパラメータに基づいて、リンクの方向にサウンディング信号を送信する。
【００７０】
１つの実装形態において、リンクに対する専用のサウンディングおよびセンシング関連のパラメータは、送信ノードがサウンディング信号を送信するためにサウンディングのリソースエレメントを指定するための、サウンディングのリソースパラメータを含む。指定されたリソースユニットは、時間、周波数、およびコードのうちの少なくとも１つまたは複数の観点からのものである。
【００７１】
図１２は、本開示の実施形態による、サウンディングのリソース割り当て構造の例を図示する。
【００７２】
図１２に示されるように、それぞれの送信ノードは、１つのＳＲＵで割り当てられてよく、制御ノード、例えば、図６に示されるような、ＣＣＵ６００によって制御される全体としてＭ個の送信機がある。任意選択で、それぞれのＳＲＵは、周波数の観点から規定されてもよい。例えば、それぞれのＳＲＵは、１つのサブ帯域を占有してよい。
【００７３】
方法１１００による１つの大きな利点は、送信ノードは、時間ウィンドウ内で、リンクの方向にサウンディング信号を送信でき、その間、送信ノード自体およびその隣接するリンクの受信ノードは、サウンディング信号をセンシングしているというものである。方法１１００が２つの隣接するリンクに適用されるとき、これらの２つのリンクの間の干渉は、効率的な手法でセンシングされてよい。
【００７４】
実際には、１つのＡＮは、（アクセスリンクおよび／またはバックホールリンクを含む）複数のリンクをサーブし、送信機および／または受信機としてふるまってよい。１つのＡＮは、どれだけ多くのＴＸのＲＦチェーンまたはＲＸのＲＦチェーンをＡＮが有していても、ＴＸの状態またはＲＸの状態のどちらかであることだけができる。このために、ＡＮが送信機としてＴＸの状態にあるとき、ＡＮは、他のリンクに対する受信機として、それぞれのＤＳＳＩの間に、いくつかのＳＲＵを監視し損なうことがある。すなわち、１つのノードが、異なるリンクに対する送信機と受信機の両方としてサーブするケースにおいて、ＡＤＳＳの際の聞こえない問題がある。そのほかに、リンクに対する受信機をサーブするそれぞれのＡＮに対して、それぞれのＤＳＳＩの間に、リンクの方向に向ける１つのＲＸのＲＦチェーンがあるはずである。１つのＡＮによるサーブされる受信リンクの数が、このＡＮのＲＸのＲＦチェーンの数より多いとき、このＡＮは、ＲＸのＲＦチェーンの不足のために、ＡＮが１つのＤＳＳＩの間に受信機としてサーブする、すべてのサーブされる受信リンクに対する指向性センシングを並行して処理できない。
【００７５】
このような課題にねらいを定めて、本開示は、ＣＣＵの制御下にある無線ノードのネットワーク展開に従って、１つのＣＣＵの制御下にある無線ノードに対するサウンディングおよびセンシング関連の設定をセットすることをさらに提案する。具体的に言うと、本開示は、１つのＣＣＵの制御下にある隣接する無線ノードを、異なるサウンディングおよびセンシング関連の設定によって設定することを提案する。
【００７６】
まず第１に、指向性サウンディングおよびセンシングのウィンドウ（ＤＳＳＷ）の定義が導入される。例えば、図８に示すようなそれぞれのＤＳＳＩは、１つまたは複数（好ましくは、本開示において２つ以上）のＤＳＳＷに分割されてよい。それぞれのＤＳＳＷは、同じまたは異なる数のサウンディングおよびセンシングのリソースエレメント（例えば、それぞれのサウンディングおよびセンシングのリソースエレメントは、図８における最小のリソースグリッドによって指示される）を有してよく、これらは連続的または非連続的であってよい。
【００７７】
図１３は、本開示による、ＤＳＳＩをＤＳＳＷに分割する３つの例を図示する。これらの３つの例において、ＤＳＳＩは、３つのＤＳＳＷ、すなわち、ＤＳＳＷ０、ＤＳＳＷ１、およびＤＳＳＷ２に分割される。ＤＳＳＩは、３つより多い、または少ないＤＳＳＷに分割されてもよいことが理解されよう。
【００７８】
図１３の上の部分および中間部分に図示されるように、それぞれのＤＳＳＷは、等しいサイズ、すなわち、４つのサブ帯域ならびに２つのサブフレーム内のサウンディングおよびセンシングのリソースエレメントである。上の部分と中間部分との間の相違は、上の部分におけるサウンディングおよびセンシングのリソースエレメントは、非連続的であり、中間部分におけるサウンディングおよびセンシングのリソースエレメントは、連続的であるという点にある。図１３の下の部分において、それぞれのＤＳＳＷは、異なる数のサウンディングおよびセンシングのリソースエレメント（すなわち、等しくないサイズのサウンディングおよびセンシングのリソースエレメント）を有する。図１３に図示されるようなそれぞれのＤＳＳＷは、４つのサブ帯域上のサウンディングおよびセンシングのリソースエレメントから形成されているが、ＤＳＳＷは、図８に示されるように、任意の数のサウンディングおよびセンシングのリソースエレメントから形成されてよいということを理解されたい。このような訳で、ＤＳＳＩあたりのそれぞれのＤＳＳＷは、等しい／等しくないサイズの、連続的な／非連続的なサウンディングおよびセンシングのリソースエレメントによって構成されてよい。
【００７９】
本開示によれば、ＤＳＳＩの少なくとも１つのＤＳＳＷは、（送信ＤＳＳＷ、すなわち、ＴＤＳＳＷと呼ばれる）指向性サウンディング信号の送信ウィンドウとして、１つのＡＮに割り当てられてよく、その他のＤＳＳＷは、受信ＤＳＳＷ（ＲＤＳＳＷ）としてＡＮの隣接したＡＮのすべてに割り当てられてよい。言い換えると、本開示は、異なるＤＳＳＩの設定（ＤＳＳＩのパターン）で、隣接するＡＮを設定することを提案し、これらのうちのそれぞれは、少なくとも１つのＴＤＳＳＷおよび少なくとも１つのＲＤＳＳＷから形成されている。
【００８０】
図１４は、本開示による、３つの例示的なＤＳＳＩの設定を示す。図示されるように、３つのＤＳＳＩの設定、すなわち、設定０、設定１、および設定２があり、これらは、それぞれ、３つの隣接するＡＮに割り当てられてよい。それぞれの設定において、ＤＳＳＩは、１つのＴＤＳＳＷおよび２つのＲＤＳＳＷを含む３つのＤＳＳＷに分割される。これは、例証のためであり、他の妥当な設定が適用可能であってよいことが理解されよう。
【００８１】
図１４に示されるように、設定０、設定１、および設定２のＴＤＳＳＷは、互いに直交している。すなわち、設定０のＴＤＳＳＷに関わるそれぞれのサウンディングのリソースエレメントは、設定１または設定２のＴＤＳＳＷに関わるそれぞれのサウンディングのリソースエレメントに対して直交している。「直交（orthogonal）」は、ここで、時間領域または周波数領域のどちらかを基準としてよい。例えば、設定０、設定１、および設定２のＴＤＳＳＷは、別々のサブフレーム内に発生してよいが、同じサブ帯域を占有する。代替として、設定０、設定１、および設定２のＴＤＳＳＷは、別々のサブ帯域に発生してよいが、同じサブフレームを占有する。
【００８２】
図１５は、本開示による、ＣＣＵの制御下にある２つの例示的なネットワーク展開を図示する。本開示によれば、ＣＣＵは、ＣＣＵの制御下にあるそれぞれのＡＮに対するＤＳＳＩの設定を決定してよく、ＡＮは、次いで、個々のＤＳＳＩの設定によって指示されたサウンディングおよびセンシングのリソースエレメントを、ＡＮによってサーブされるそれぞれのリンクに割り当てる。
【００８３】
それぞれのＡＮが６角形のエリアをカバーすることが仮定される。図１５の左の部分において、３つの異なるＤＳＳＩの設定（例えば、図１４に示されるような設定０、設定１、および設定２）があり、それぞれのＡＮは、その隣接するＡＮと異なるＤＳＳＩの設定によって設定されてよい。（ＡＮ１５０１と表される）図１５の６角形のエリアをカバーするＡＮを例にとると、図１４に示されるような設定２はＡＮに割り当てられ、一方、その隣接するＡＮは設定０または設定１のどちらかで割り当てられる。このようにして、ＡＮ１５０１がＴＸの状態にあるとき、その隣接するＡＮのすべてのリンクの受信機は、すべてＲＸの状態にある。
【００８４】
図１５の右の部分において、７つの異なるＤＳＳＩの設定があり、それぞれのＡＮは、さらに多くの隣接するＡＮと異なるＤＳＳＩの設定で割り当てられてよい。例えば、陰影がつけられたエリアのＡＮは、ＤＳＳＩの設定４で割り当てられてよいが、このエリアに隣接する、２つの、点で描いたサイクルによってマークされた６角形のエリアのＡＮは、他のＤＳＳＩの設定で割り当てられる。
【００８５】
図１５に示されるようなこれら以外の任意の他の妥当なネットワーク展開が、本開示に適用可能であってよいことが理解されよう。
【００８６】
図１６は、本開示の実施形態による、サービング無線ノード、例えば、図５におけるＡＰ２において使用される方法１６００の流れ図を示す。サービング無線ノードは、ＭＭＷのＲＡＴネットワークなどの、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。例えば、ＡＰ２は、ＵＥ２およびＵＥ５をサーブし、ＵＥ２は、リンクペア２を介してＡＰ２に接続され、ＵＥ５は、リンクペア５を介してＡＰ２に接続される。この例では、ＡＰ１、ＡＰ３、およびＡＰ４は、ＡＰ２の隣接する無線ノードであってよい。
【００８７】
方法１６００は、ステップＳ１６１０を含み、ここで、サービング無線ノードは、サービング無線ノードを制御する制御ノード（例えば、図５におけるＣＣＵ）から、サービング無線ノードに対するサウンディングおよびセンシング関連の設定を受信する。例えば、サウンディングおよびセンシング関連の設定は、図１４に示されるようなＤＳＳＩの設定であってよい。サウンディングおよびセンシング関連の設定によって指示されたそれぞれのサウンディングのリソースエレメント（すなわち、図８に示されるようなＳＲＵ）は、それぞれの隣接する無線ノードに対するサウンディングおよびセンシング関連の設定によって指示されたそれぞれのサウンディングのリソースエレメントに対して直交している。
【００８８】
１つの実装形態において、受信されたサウンディングおよびセンシング関連の設定は、サウンディングおよびセンシングの継続時間（すなわち、ＤＳＳＩ）あたり２つ以上のサウンディングおよびセンシングのウィンドウを指示し、これらのうちの１つまたは複数のサウンディングおよびセンシングのウィンドウは、サービング無線ノードによるセンシングのために、センシングのウィンドウとして設定され、これらのうちの残りのサウンディングおよびセンシングのウィンドウは、サービング無線ノードによるサウンディングのために、サウンディングのウィンドウとして設定される。
【００８９】
図１３に示されるように、サービング無線ノードに対する受信されたサウンディングおよびセンシング関連の設定は、ＤＳＳＩあたり２つ以上のＤＳＳＷを指示してよい。例えば、サービング無線ノードに対する受信されたサウンディングおよびセンシング関連の設定は、図１４における設定０であってよく、それぞれの隣接する無線ノードに対するサウンディングおよびセンシング関連の設定は、設定１または設定２であってよい。
【００９０】
実装形態の例として、サービング無線ノードに対するサウンディングのウィンドウは、時間領域内で、それぞれの隣接する無線ノードに対するセンシングのウィンドウに対応する。このようにして、サービング無線ノードが、サウンディングのウィンドウ内でサウンディング信号を送信しているとき、それぞれの隣接する無線ノードは、センシングのウィンドウ内でサウンディング信号をセンシングしているはずである。すなわち、ＡＮがＤＳＳＩの間にＴＸの状態にあるとき、その隣接するリンクの受信機は、すべてＲＸの状態にある。
【００９１】
実装形態の別の例として、例えば、図１３に示されるように、それぞれのサウンディングおよびセンシングのウィンドウは、同じまたは異なる数のサウンディングおよびセンシングのリソースエレメントを有する。
【００９２】
実装形態のさらなる例として、例えば、図１３に示されるように、それぞれのサウンディングおよびセンシングのウィンドウは、連続的または非連続的なサウンディングおよびセンシングのリソースエレメントを有する。
【００９３】
方法１６００は、ステップＳ１６２０をさらに含み、ここで、サービング無線ノードは、１つまたは複数の無線リンクのそれぞれの無線リンクに対して設定されたサービング無線ノードのＲＸのＲＦチェーンを通じて、受信されたサウンディングおよびセンシング関連の設定に基づいて、無線リンクの方向にあるすべてのサウンディング信号をセンシングする。
【００９４】
１つの実装形態において、ステップＳ１６２０におけるセンシングは、受信されたサウンディングおよびセンシング関連の設定によって指示されたすべてのセンシングのリソースエレメントにおいて実施されてよい。代替として、センシングは、受信されたサウンディングおよびセンシング関連の設定によって指示された一部またはすべてのサウンディングのリソースエレメントにおいてさらに実施されてよい。
【００９５】
任意選択で、方法１６００は、ステップＳ１６３０をさらに含んでよい。ステップＳ１６３０において、サービング無線ノードは、受信されたサウンディングおよびセンシング関連の設定によって指示された１つまたは複数のサウンディングのリソースエレメントを、１つまたは複数の無線リンクに割り当てる。
【００９６】
サービング無線ノードのＲＸのＲＦチェーンの数が、サービングノードが受信機としてサーブするすべての無線リンクの数より少ないとき、それぞれのＤＳＳＩにおいて、これらのリンクすべてに対する指向性センシングを並行して処理することは、可能ではない。
【００９７】
このケースにおいて、方法１６００は、任意選択で、２つのさらなるステップ、すなわち、受信されたサウンディングおよびセンシング関連の設定、ならびに１つまたは複数の事前定義されたパラメータに基づいて、１つまたは複数の無線リンクのそれぞれの無線リンクに対するセンシングの期間を調節すること、ならびに１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングすることを含んでよい。
【００９８】
例えば、サービング無線ノードは、それぞれのＤＳＳＩの代わりに、ｎ番目の（ｎは、整数であり、ｎ＞１である）ＤＳＳＩごとに、いくつかのリンクに対して指向性センシングを処理してよい。すなわち、いくつかのリンクのそれぞれに対するセンシングの期間は、１つのＤＳＳＰより長くなるように調節されてよい。このようなリンクは、本明細書において、遅い指向性センシングのリンクと呼ばれることがある。しかし、すべてのリンクに対する指向性サウンディング信号の送信は、１つまたは複数の隣接するリンクが干渉状況を監視できるように、それぞれのＤＳＳＩにおいてさらに処理されてよい。結果として、遅い指向性センシングのリンクは、干渉状況を追跡するために遅くなるが、指向性サウンディングを搬送するそれぞれのリンクは、干渉状況全体を監視できる。完全なＤＬＩＭは、遅い指向性センシングのリンクの体感される干渉がより長いサイクルで更新されるということを代償にして、さらに実現されることがある。
【００９９】
図１７は、本開示の実施形態による、例示的なＤＳＳＩのパターンを図示する。サービング無線ノードは、２つのＲＸのＲＦチェーンを有し、サービング無線ノードによってサーブされる３つの受信リンクがあることが仮定される。
【０１００】
図１７に示されるように、サービング無線ノードは、１つのＤＳＳＩごとに第１の受信リンク（リンク０）に対して、ならびに第２のリンクおよび第３のリンク（リンク１およびリンク２）に対して２つのＤＳＳＩごとに指向性センシングを処理してよい。すなわち、リンク０、リンク１、およびリンク２に対するセンシングの期間は、それぞれ、１つのＤＳＳＰ、２つのＤＳＳＰ、および２つのＤＳＳＰになるように調節される。このケースにおいて、リンク０は、規則的な指向性センシングのリンクと呼ばれることがあるが、リンク１およびリンク２は、遅い指向性センシングのリンクと呼ばれることがある。
【０１０１】
ＡＮによる受信リンクの数が減少するとき、ＡＮは、遅い指向性センシングのリンクを、規則的な指向性センシングのリンクになるように調節してよい（すなわち、指向性センシングは、リンクに対して１つのＤＳＳＩごとに処理される）。
【０１０２】
本開示のいくつかの実施形態によれば、１つまたは複数の事前定義されたパラメータは、リンクの無線品質、リンクのレート、またはリンクのトラフィック優先度のうちの少なくとも１つを含んでよい。
【０１０３】
例として、遅い指向性センシングのリンクは、リンクの無線品質に基づいて選択されてよい。例えば、より高い干渉に耐えられ得るより良い無線品質のリンクは、比較的高い優先度で選択されてよい。２つの隣接するリンクがあり、一方のリンクは、他方のリンクより良い無線リンクを有すると仮定されたい。このケースにおいて、より良い無線品質のリンクは、比較的高い優先度で遅い指向性センシングのリンクとして選択されてよく、それによって、このリンクは、他のリンクより少ない頻度で、すなわち、より長い期間でセンシングされるであろう。
【０１０４】
別の例として、遅い指向性センシングのリンクは、リンクのレートに基づいて選択されてよい。例えば、低い所要のレートのリンクは、比較的高い優先度で選択されてよい。
【０１０５】
さらに別の例として、遅い指向性センシングのリンクは、リンクのトラフィック優先度に基づいて選択されてよい。例えば、より低いトラフィック優先度のリンクは、比較的高い優先度で選択されてよい。
【０１０６】
図１８は、本開示の実施形態による、サービング無線ノードにおいて使用される方法１８００の流れ図を示す。方法１８００は、方法１６００の実行可能な変形物である。
【０１０７】
ステップＳ１８１０において、サービング無線ノードは、サービング無線ノードを制御する制御ノード（例えば、図５におけるＣＣＵ）から、サービング無線ノードに対するサウンディングおよびセンシング関連の設定を受信する。サービング無線ノードに対するサウンディングおよびセンシング関連の設定は、必要に応じて、例えば、詳細なネットワーク展開または無線環境に従って、制御ノードによって決定されてよい。例えば、サービング無線ノードに対するサウンディングおよびセンシング関連の設定は、サウンディングおよびセンシング関連の設定によって指示されたそれぞれのサウンディングのリソースエレメントが、それぞれの隣接する無線ノードに対するサウンディングおよびセンシング関連の設定によって指示されたそれぞれのサウンディングのリソースエレメントに対して直交しているという手法で、制御ノードによって決定されてよい。
【０１０８】
ステップＳ１８２０において、サービング無線ノードは、サービング無線ノードのＲＸのＲＦチェーンの数が、サービングノードが受信機としてサーブする１つまたは複数の無線リンクの数より少ないとき、サウンディングおよびセンシング関連の設定、ならびに１つまたは複数の事前定義されたパラメータに基づいて、１つまたは複数の選択された無線リンクのそれぞれの無線リンクに対するセンシングの期間を調節する。
【０１０９】
本開示のいくつかの実施形態によれば、１つまたは複数の事前定義されたパラメータは、リンクの無線品質、リンクのレート、またはリンクのトラフィック優先度のうちの少なくとも１つを含んでよい。例えば、より良い無線品質のリンク、より低いリンクのレート、またはより低いトラフィック優先度は、比較的高い優先度で遅い指向性センシングのリンクとして選択されてよく、それによって、このようなリンクは、より長い期間でセンシングされるであろう。すなわち、このようなリンクのセンシングの期間は、１つのＤＳＳＰより長くなるように調節されてよい。
【０１１０】
ステップＳ１８３０において、サービング無線ノードは、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングする。例えば、受信されたサウンディングおよびセンシング関連の設定は、ここで、図１７に示されるような例示的なＤＳＳＩのパターンを指示してよい。
【０１１１】
図１９は、本開示の実施形態による、サービング無線ノード（例えば、図５におけるＡＰ２）を制御する制御ノード（例えば、図５におけるＣＣＵ）において使用される方法１９００の流れ図を示す。サービング無線ノードは、ＭＭＷのＲＡＴネットワークなどの、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。例えば、ＡＰ２は、ＵＥ２およびＵＥ５をサーブする。ＵＥ２は、リンクペア２を介してＡＰ２に接続され、ＵＥ５は、リンクペア５を介してＡＰ２に接続される。この例では、ＡＰ１、ＡＰ３、およびＡＰ４は、ＡＰ２の隣接する無線ノードであってよい。
【０１１２】
図１９に示されるように、方法１９００は、ステップＳ１９１０およびＳ１９２０を含む。ステップＳ１９１０において、制御ノードは、サービング無線ノードに対するサウンディングおよびセンシング関連の設定を決定する。サービング無線ノードに対するサウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している。
【０１１３】
１つの実装形態において、決定されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、サービング無線ノードによるセンシングのために、センシングのウィンドウとして設定され、これらのうちの残りのサウンディングおよびセンシングのウィンドウは、サービング無線ノードによるサウンディングのために、サウンディングのウィンドウとして設定される。
【０１１４】
例えば、制御ノードは、ネットワーク展開に基づいて、サウンディングおよびセンシング関連の設定を決定してよい。例えば、制御ノードは、設定２をＡＮ１５０１に、一方、設定０または設定１をＡＮ１５０１の隣接するＡＮに割り当ててよい。
【０１１５】
図１３に示されるように、サービング無線ノードに対する決定されたサウンディングおよびセンシング関連の設定は、ＤＳＳＩあたり２つ以上のＤＳＳＷを指示してよい。例えば、サービング無線ノードに対する決定されたサウンディングおよびセンシング関連の設定は、図１４における設定０であってよく、それぞれの隣接する無線ノードに対するサウンディングおよびセンシング関連の設定は、設定１または設定２であってよい。
【０１１６】
実装形態の例として、サービング無線ノードに対するサウンディングのウィンドウは、時間領域内で、それぞれの隣接する無線ノードに対するセンシングのウィンドウに対応する。このようにして、サービング無線ノードが、サウンディングのウィンドウ内でサウンディング信号を送信しているとき、それぞれの隣接する無線ノードは、センシングのウィンドウ内でサウンディング信号をセンシングしているはずである。
【０１１７】
実装形態の別の例として、例えば、図１３に示されるように、それぞれのサウンディングおよびセンシングのウィンドウは、同じまたは異なる数のサウンディングおよびセンシングのリソースエレメントを有する。
【０１１８】
実装形態のさらなる例として、例えば、図１３に示されるように、それぞれのサウンディングおよびセンシングのウィンドウは、連続的または非連続的なサウンディングおよびセンシングのリソースエレメントを有する。
【０１１９】
ステップＳ１９２０において、制御ノードは、決定されたサウンディングおよびセンシング関連の設定をサービング無線ノードに送信する。次に、サービング無線ノードは、サウンディングおよびセンシング関連の設定をそれぞれのサーブされるリンクに適用してよい。
【０１２０】
このような設定による１つの大きな利点は、サービング無線ノードがＴＸの状態にあるとき、その隣接するＡＮのすべてのリンクの受信機は、すべてＲＸの状態にあるというものである。このようにして、図３において図示されるような聞こえない問題は、効率的な手法で克服されることがある。
【０１２１】
図２０は、本開示による、サービング無線ノード２０００の概略ブロック図である。サービング無線ノード２０００は、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。例えば、サービング無線ノード２０００は、図５に示されるようなＡＰ２であってよく、ＡＰ２はＵＥ２およびＵＥ５をサーブする。ＵＥ２は、リンクペア２を介してＡＰ２に接続され、ＵＥ５は、リンクペア５を介してＡＰ２に接続される。この例では、ＡＰ１、ＡＰ３、およびＡＰ４は、ＡＰ２の隣接する無線ノードであってよい。
【０１２２】
図２０に示されるように、サービング無線ノード２０００は、受信ユニット２０１０、センシングユニット２０２０、割り当てユニット２０３０、および調節ユニット２０４０を含む。割り当てユニット２０３０および調節ユニット２０４０は、任意選択である。
【０１２３】
受信ユニット２０１０は、サービング無線ノードを制御する制御ノード（例えば、図５におけるＣＣＵ）から、サービング無線ノードに対するサウンディングおよびセンシング関連の設定を受信するように設定される。サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している。
【０１２４】
１つの実装形態において、受信されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、サービング無線ノードによるセンシングのために、センシングのウィンドウとして設定され、これらのうちの残りのサウンディングおよびセンシングのウィンドウは、サービング無線ノードによるサウンディングのために、サウンディングのウィンドウとして設定される。
【０１２５】
図１３に示されるように、サービング無線ノードに対する受信されたサウンディングおよびセンシング関連の設定は、ＤＳＳＩあたり２つ以上のＤＳＳＷを指示してよい。例えば、サービング無線ノードに対する受信されたサウンディングおよびセンシング関連の設定は、図１４における設定０であってよく、それぞれの隣接する無線ノードに対するサウンディングおよびセンシング関連の設定は、設定１または設定２であってよい。
【０１２６】
実装形態の例として、サービング無線ノードに対するサウンディングのウィンドウは、時間領域内で、それぞれの隣接する無線ノードに対するセンシングのウィンドウに対応する。このようにして、サービング無線ノードが、サウンディングのウィンドウ内でサウンディング信号を送信しているとき、それぞれの隣接する無線ノードは、センシングのウィンドウ内でサウンディング信号をセンシングしているはずである。すなわち、ＡＮがＤＳＳＩの間にＴＸの状態にあるとき、その隣接するリンクの受信機は、すべてＲＸの状態にある。
【０１２７】
実装形態の別の例として、例えば、図１３に示されるように、それぞれのサウンディングおよびセンシングのウィンドウは、同じまたは異なる数のサウンディングおよびセンシングのリソースエレメントを有する。
【０１２８】
実装形態のさらなる例として、例えば、図１３に示されるように、それぞれのサウンディングおよびセンシングのウィンドウは、連続的または非連続的なサウンディングおよびセンシングのリソースエレメントを有する。
【０１２９】
センシングユニット２０２０は、１つまたは複数の無線リンクのそれぞれの無線リンクに対して設定されたサービング無線ノードのＲＸのＲＦチェーンを通じて、受信されたサウンディングおよびセンシング関連の設定に基づいて、無線リンクの方向にあるすべてのサウンディング信号をセンシングするように設定される。
【０１３０】
１つの実装形態において、センシングユニット２０２０は、受信されたサウンディングおよびセンシング関連の設定によって指示されたすべてのセンシングのリソースエレメント内でセンシングを実施するように設定される。代替として、センシングユニット２０２０は、受信されたサウンディングおよびセンシング関連の設定によって指示された一部またはすべてのサウンディングのリソースエレメント内でセンシングをさらに実施するように設定される。
【０１３１】
割り当てユニット２０３０は、受信されたサウンディングおよびセンシング関連の設定によって指示された１つまたは複数のサウンディングのリソースエレメントを、１つまたは複数の無線リンクに割り当てるように設定される。
【０１３２】
調節ユニット２０４０は、サービング無線ノードのＲＸのＲＦチェーンの数が、サービングノードが受信機としてサーブするすべての無線リンクの数より少ないとき、受信されたサウンディングおよびセンシング関連の設定、ならびに１つまたは複数の事前定義されたパラメータに基づいて、１つまたは複数の無線リンクのそれぞれの無線リンクに対するセンシングの期間を調節するようにさらに設定される。このケースにおいて、センシングユニット２０２０は、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングするようにさらに設定されてよい。
【０１３３】
例えば、受信されたサウンディングおよびセンシング関連の設定は、ここで、図１７に示されるような例示的なＤＳＳＩのパターンを指示してよい。
【０１３４】
本開示のいくつかの実施形態によれば、１つまたは複数の事前定義されたパラメータは、リンクの無線品質、リンクのレート、またはリンクのトラフィック優先度のうちの少なくとも１つを含んでよい。例えば、より良い無線品質、より低いリンクのレート、またはより低いトラフィック優先度のリンクに対するセンシングの期間は、１つのＤＳＳＰより長くなるように調節されてよい。
【０１３５】
図２１は、本開示による、別のサービング無線ノード２１００の概略ブロック図を示す。サービング無線ノード２１００は、ここで、サービング無線ノード２０００の実行可能な変形物である。
【０１３６】
図２１に示されるように、サービング無線ノード２１００は、受信ユニット２１１０、調節ユニット２１２０、およびセンシングユニット２１３０を含む。調節ユニット２１２０は、図２０における調節ユニット２０４０のように動作する。
【０１３７】
受信ユニット２１１０は、サービング無線ノードを制御する制御ノード（例えば、図５におけるＣＣＵ）から、サービング無線ノードに対するサウンディングおよびセンシング関連の設定を受信するように設定される。サービング無線ノードに対するサウンディングおよびセンシング関連の設定は、必要に応じて、例えば、詳細なネットワーク展開または無線環境に従って、制御ノードによって決定されてよい。例えば、サービング無線ノードに対するサウンディングおよびセンシング関連の設定は、サウンディングおよびセンシング関連の設定によって指示されたそれぞれのサウンディングのリソースエレメントが、それぞれの隣接する無線ノードに対するサウンディングおよびセンシング関連の設定によって指示されたそれぞれのサウンディングのリソースエレメントに対して直交しているという手法で、制御ノードによって決定されてよい。
【０１３８】
調節ユニット２１２０は、サービング無線ノードのＲＸのＲＦチェーンの数が、サービングノードが受信機としてサーブする１つまたは複数の無線リンクの数より少ないとき、サウンディングおよびセンシング関連の設定、ならびに１つまたは複数の事前定義されたパラメータに基づいて、１つまたは複数の無線リンクのそれぞれの無線リンクに対するセンシングの期間を調節するように設定される。
【０１３９】
センシングユニット２１３０は、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングするように設定される。例えば、受信されたサウンディングおよびセンシング関連の設定は、ここで、図１７に示されるような例示的なＤＳＳＩのパターンを指示してよい。
【０１４０】
本開示のいくつかの実施形態によれば、１つまたは複数の事前定義されたパラメータは、リンクの無線品質、リンクのレート、またはリンクのトラフィック優先度のうちの少なくとも１つを含んでよい。例えば、より良い無線品質、より低いリンクのレート、またはより低いトラフィック優先度のリンクに対するセンシングの期間は、１つのＤＳＳＰより長くなるように調節されてよい。
【０１４１】
図２２は、本開示の実施形態による、サービング無線ノード（例えば、図５におけるＡＰ２）を制御する制御ノード２２００（例えば、図５におけるＣＣＵ）の概略ブロック図である。サービング無線ノードは、ＭＭＷのＲＡＴネットワークなどの、ワイヤレス通信ネットワーク内の１つまたは複数の隣接する無線ノードによってサーブされる１つまたは複数のカバレッジエリアに隣接するカバレッジエリアにおいて、１つまたは複数の無線リンクを介してサービング無線ノードに接続される、１つまたは複数のクライアント無線ノードをサーブする。例えば、ＡＰ２は、ＵＥ２およびＵＥ５をサーブする。ＵＥ２は、リンクペア２を介してＡＰ２に接続され、ＵＥ５は、リンクペア５を介してＡＰ２に接続される。この例では、ＡＰ１、ＡＰ３、およびＡＰ４は、ＡＰ２の隣接する無線ノードであってよい。
【０１４２】
図２２に示されるように、制御ノード２２００は、決定ユニット２２１０および送信ユニット２２２０を含む。
【０１４３】
決定ユニット２２１０は、サービング無線ノードに対するサウンディングおよびセンシング関連の設定を決定するように設定される。サービング無線ノードに対するサウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している。
【０１４４】
１つの実装形態において、決定されたサウンディングおよびセンシング関連の設定は、サウンディングおよびセンシングの継続時間あたり２つ以上のサウンディングおよびセンシングのウィンドウを指示し、これらのうちの１つまたは複数のサウンディングおよびセンシングのウィンドウは、サービング無線ノードによるセンシングのために、センシングのウィンドウとして設定され、これらのうちの残りのサウンディングおよびセンシングのウィンドウは、サービング無線ノードによるサウンディングのために、サウンディングのウィンドウとして設定される。
【０１４５】
例えば、制御ノード２２００は、ネットワーク展開に基づいて、サウンディングおよびセンシング関連の設定を決定してよい。例えば、制御ノード２２００は、設定２をＡＮ１５０１に、一方、設定０または設定１をＡＮ１５０１の隣接するＡＮに割り当ててよい。
【０１４６】
図１３に示されるように、サービング無線ノードに対する決定されたサウンディングおよびセンシング関連の設定は、ＤＳＳＩあたり２つ以上のＤＳＳＷを指示してよい。例えば、サービング無線ノードに対する決定されたサウンディングおよびセンシング関連の設定は、図１４における設定０であってよく、それぞれの隣接する無線ノードに対するサウンディングおよびセンシング関連の設定は、設定１または設定２であってよい。
【０１４７】
実装形態の例として、サービング無線ノードに対するサウンディングのウィンドウは、時間領域内で、それぞれの隣接する無線ノードに対するセンシングのウィンドウに対応する。このようにして、サービング無線ノードが、サウンディングのウィンドウ内でサウンディング信号を送信しているとき、それぞれの隣接する無線ノードは、センシングのウィンドウ内でサウンディング信号をセンシングしているはずである。
【０１４８】
実装形態の別の例として、例えば、図１３に示されるように、それぞれのサウンディングおよびセンシングのウィンドウは、同じまたは異なる数のサウンディングおよびセンシングのリソースエレメントを有する。
【０１４９】
実装形態のさらなる例として、例えば、図１３に示されるように、それぞれのサウンディングおよびセンシングのウィンドウは、連続的または非連続的なサウンディングおよびセンシングのリソースエレメントを有する。
【０１５０】
送信ユニット２２２０は、決定されたサウンディングおよびセンシング関連の設定をサービング無線ノードに送信するように設定される。次に、サービング無線ノードは、サウンディングおよびセンシング関連の設定をそれぞれのサーブされるリンクに適用してよい。
【０１５１】
図２３は、本開示による、サービング無線ノード２０００、サービング無線ノード２１００、または制御ノード２２００において使用されることがある配置２３００の実施形態を概略的に示す。
【０１５２】
ここで、例えば、デジタル信号プロセッサ（ＤＳＰ）を有する処理ユニット２３０６が、配置２３００内に備えられる。処理ユニット２３０６は、本明細書で説明された手順の異なるアクションを実施するための、単一のユニットまたは複数のユニットであってよい。配置２３００は、他のエンティティから信号を受信するための入力ユニット２３０２、および他のエンティティに信号を提供するための出力ユニット２３０４も備えてよい。入力ユニットおよび出力ユニットは、統合されたエンティティ、または図２０、図２１、もしくは図２２の例に図示されるように配置されてよい。
【０１５３】
その上、配置２３００は、不揮発性または揮発性メモリ、例えば、電気的消去可能プログラマブルリードオンリメモリ（ＥＥＰＲＯＭ）、フラッシュメモリ、およびハードドライブの形で、少なくとも１つのコンピュータプログラム製品２３０８を備えてよい。コンピュータプログラム製品２３０８は、コード／コンピュータ可読命令を備えるコンピュータプログラム２３１０を備え、この命令は、配置２３００内の処理ユニット２３０６によって実行されるとき、配置２３００および／または配置２１００が備えられたサービング無線ノードまたは制御ノードに、例えば、図１６、図１８、または図１９と共に、以前に説明された手順のアクションを実施させる。
【０１５４】
コンピュータプログラム２３１０は、コンピュータプログラムのモジュール２３１０Ａ〜２３１０Ｅ、２３１０Ｆ〜２３１０Ｉまたは２３１０Ｊ〜２１１０Ｌ内に構造化されたコンピュータプログラムコードとして設定されてよい。
【０１５５】
このような訳で、配置２３００がサービング無線ノード２０００において使用されるときの例示の実施形態において、配置２３００のコンピュータプログラム内のコードは、サービング無線ノードに対するサウンディングおよびセンシング関連の設定を、サービング無線ノードを制御する制御ノードから受信するために、受信モジュール２３１０Ａを含む。サウンディングおよびセンシング関連の設定によって指示されたそれぞれのサウンディングのリソースエレメントは、それぞれの隣接する無線ノードに対するサウンディングおよびセンシング関連の設定によって指示されたそれぞれのサウンディングのリソースエレメントに対して直交している。コンピュータプログラム２３１０内のコードは、１つまたは複数の無線リンクのそれぞれの無線リンクに対して設定されたサービング無線ノードのＲＸのＲＦチェーンを通じて、受信されたサウンディングおよびセンシング関連の設定に基づいて、無線リンクの方向にあるすべてのサウンディング信号をセンシングするために、センシングモジュール２３１０Ｂをさらに含む。任意選択で、コンピュータプログラム２３１０内のコードは、受信されたサウンディングおよびセンシング関連の設定によって指示された１つまたは複数のサウンディングおよびセンシングのリソースエレメントを、１つまたは複数の無線リンクに割り当てるために、割り当てモジュール２３１０Ｃをさらに含む。任意選択で、コンピュータプログラム２３１０内のコードは、サービング無線ノードのＲＸのＲＦチェーンの数が、サービングノードが受信機としてサーブするすべての無線リンクの数より少ないとき、受信されたサウンディングおよびセンシング関連の設定、ならびに１つまたは複数の事前定義されたパラメータに基づいて、１つまたは複数の無線リンクのそれぞれの無線リンクに対するセンシングの期間を調節するために、調節モジュール２３１０Ｄをさらに含む。コンピュータプログラム２３１０内のコードは、例えば、サービング無線ノードの動作と関連付けられた他の関連手順を制御および実施するために、モジュール２３１０Ｅとして図示された、さらなるモジュールを備えてよい。例えば、サービング無線ノードがＢＳであるとき、モジュール２３１０Ｅは、ＢＳの動作と関連付けられた他の関連手順を制御および実施してよい。
【０１５６】
配置２３００がサービング無線ノード２１００において使用されるときの別の例示の実施形態において、配置２３００のコンピュータプログラム内のコードは、サービング無線ノードに対するサウンディングおよびセンシング関連の設定を、サービング無線ノードを制御する制御ノードから受信するために、受信モジュール２３１０Ｆを含む。コンピュータプログラム内のコードは、サービング無線ノードのＲＸのＲＦチェーンの数が、サービングノードが受信機としてサーブする１つまたは複数の無線リンクの数より少ないとき、サウンディングおよびセンシング関連の設定、ならびに１つまたは複数の事前定義されたパラメータに基づいて、１つまたは複数の無線リンクのそれぞれの無線リンクに対するセンシングの期間を調節するために、調節モジュール２３１０Ｇをさらに含む。コンピュータプログラム内のコードは、１つまたは複数の無線リンクのそれぞれの無線リンクに対して設定されたサービング無線ノードのＲＸのＲＦチェーンを通じて、調節されたセンシングの期間に基づいて、無線リンクの方向にあるすべてのサウンディング信号をセンシングするために、センシングユニット２３１０Ｈをさらに含む。コンピュータプログラム２３１０内のコードは、例えば、サービング無線ノードの動作と関連付けられた他の関連手順を制御および実施するために、モジュール２３１０Ｉとして図示された、さらなるモジュールを備えてよい。例えば、サービング無線ノードがＢＳであるとき、モジュール２３１０Ｉは、ＢＳの動作と関連付けられた他の関連手順を制御および実施してよい。
【０１５７】
配置２３００が制御ノード２２００において使用されるときの別の例示の実施形態において、配置２３００のコンピュータプログラム内のコードは、サービング無線ノードに対するサウンディングおよびセンシング関連の設定を決定するために、決定モジュール２３１０Ｊを含む。サービング無線ノードに対するサウンディングおよびセンシング関連の設定によって指示されたサウンディングのリソースエレメントは、それぞれの隣接する無線ノードに対するサウンディングおよびセンシング関連の設定によって指示されたそれぞれのサウンディングのリソースエレメントに対して直交している。コンピュータプログラム内のコードは、決定されたサウンディングおよびセンシング関連の設定をサービング無線ノードに送信するために、送信モジュール２３１０Ｋをさらに含む。コンピュータプログラム２３１０内のコードは、例えば、制御ノードの動作と関連付けられた他の関連した手順を制御および実施するために、モジュール２３１０Ｌとして図示されるモジュールをさらに含んでよい。
【０１５８】
コンピュータプログラムのモジュールは、本質的に、図１６に図示されるフローのアクションを実施してサービング無線ノード２０００をエミュレートするか、または図１８に図示されるフローのアクションを実施してサービング無線ノード２１００をエミュレートするか、または図１９に図示されるフローのアクションを実施して制御ノード２２００をエミュレートしてよい。言い換えると、異なるコンピュータプログラムのモジュールが処理ユニット２３０６において実行されるとき、異なるコンピュータプログラムのモジュールは、例えば、図２０のユニット２０１０〜２０４０に、または図２１のユニット２１１０〜２１３０に、または図２２のユニット２２１０〜２２２０に対応してよい。
【０１５９】
図２３と共に上記で開示された実施形態におけるコード手段は、処理ユニット内で実行されるとき、配置に、上記で述べられた図と共に上記で説明されたアクションを実施させるコンピュータプログラムのモジュールとして実装されるが、コード手段のうちの少なくとも１つは、代替実施形態において、ハードウェア回路として少なくとも部分的に実装されてよい。
【０１６０】
プロセッサは、単一のＣＰＵ（中央処理装置）であってよいが、２つ以上の処理ユニットを備えることもある。例えば、プロセッサは、汎用マイクロプロセッサ、命令セットプロセッサおよび／もしくは関連チップセットならびに／または特定用途向け集積回路（ＡＳＩＣ）などの専用マイクロプロセッサを含んでよい。プロセッサは、キャッシュ目的の基板メモリを備えてもよい。コンピュータプログラムは、プロセッサに接続されたコンピュータプログラム製品によって搬送されてよい。コンピュータプログラム製品は、コンピュータプログラムが格納されるコンピュータ可読媒体を備えてよい。例えば、コンピュータプログラム製品は、フラッシュメモリ、ランダムアクセスメモリ（ＲＡＭ）、リードオンリメモリ（ＲＯＭ）、またはＥＥＰＲＯＭであってよく、上記で説明されたコンピュータプログラムのモジュールは、代替実施形態において、サービング無線ノードまたは制御ノード内部のメモリの形で、異なるコンピュータプログラム製品に配布されることがある。
【０１６１】
本開示は、（以下に、ＡＤＳＳの機能性とも呼ばれる）ＡＤＳＳ関連の機能を、システムプロトコル層、および関連シグナリングフローにマップすることをさらに提案する。当技術分野でよく知られるように、（以下に、単純に「プロトコル層」と呼ばれる）システムプロトコル層は、例えば、無線リソース制御（ＲＲＣ）層、パケットデータコンバージェンスプロトコル（ＰＤＣＰ）層、メディアアクセス制御（ＭＡＣ）層、物理（ＰＨＹ）層他を含んでよい。
【０１６２】
ＡＤＳＳの機能性は、例えば、上記で例示されたような、方法７００、方法９００、方法１１００、方法１６００、方法１８００、および／または方法１９００によって実装される機能を含んでよい。また、ＡＤＳＳの機能性は、上記で例示されたような、サービング無線ノード２０００、サービング無線ノード２１００、制御ノード２２００、および／または配置２３００によって実施される機能を含んでよい。
【０１６３】
本開示によれば、ＡＤＳＳの機能性は、異なる責任に対応し、異なるプロトコル層にマップされる、複数のＡＤＳＳのサブ機能性モジュールによって実装されてよい。
【０１６４】
図２４は、本開示による、ＡＤＳＳのサブ機能性モジュール、およびプロトコル層に対する、ＡＤＳＳのサブ機能性モジュールの対応するマッピングを図示する。
【０１６５】
示されるように、本開示による全体のＡＤＳＳの機能性は、ＣＣＵ、それぞれのサービング無線ノード（例えば、図６におけるＡＰ６２０）のＲＲＣ層およびＭＡＣ層、ならびにサービング無線ノードのクライアント無線ノード（例えば、図６におけるＵＥ６６０）のＲＲＣ層およびＭＡＣ層に分散されてよい。それぞれのプロトコル層にマップされたＡＤＳＳの機能性は、複数のサブ機能性モジュールにさらに分割されてよい。
【０１６６】
ＣＣＵにおいて、ＡＤＳＳの機能性は、ＣＣＵのＡＤＳＳマネージャによって実装され、ＣＣＵのＡＤＳＳマネージャは、３つのサブ機能性モジュール、すなわち、図２４に図示されるような、設定マネージャ、ＤＬＩＭマネージャ、およびリソース割り当てマネージャを含む。
【０１６７】
設定マネージャは、ＣＣＵの制御下にあるそれぞれのＡＰまたはそれぞれのリンクに対する、サウンディングおよびセンシング関連の設定を管理してよい。サウンディングおよびセンシング関連の設定は、
例えば、図１７に示されるような、ＤＳＳＰの開始ポイントおよび長さ、ＤＳＳＩの開始ポイントおよび長さ、ＤＳＳＩのパターン、
例えば、図１２に示されるような、ＳＲＵがそれぞれのリンクに対して設定される方法に関する設定、または、
例えば、報告のタイミング、報告フォーマット、および他を含む、受信ノードがそのセンシング結果をＣＣＵに報告するためのルールに関する設定
のうちの少なくとも１つを含んでよい。
【０１６８】
例えば、設定マネージャは、図７におけるステップＳ７１０または図１９におけるステップＳ１９１０を実施してよい。また、設定マネージャは、図２２における決定ユニット２２１０として機能してよい。
【０１６９】
ＤＬＩＭマネージャは、ＤＬＩＭを導き出してよい。具体的に言うと、これは、以下のように行われてよい。第１に、ＤＬＩＭマネージャは、すべてのリンク受信機（すなわち、受信ノード）からセンシング結果を収集する。センシング結果は、測定報告を介してＣＣＵに報告されてよい。第２に、ＤＬＩＭマネージャは、センシング結果を評価し、個々のリンク間の干渉の関係を決定する。第３に、ＤＬＩＭマネージャは、干渉の関係に基づいてＤＬＩＭを導き出し、リソースマネージャにＤＬＩＭを出力する。任意選択で、ＤＬＩＭマネージャは、最も新しいセンシング結果に基づいてＤＬＩＭを更新してよい。
【０１７０】
例えば、ＤＬＩＭマネージャは、方法７００におけるＤＬＩＭの決定を実施してよい。
【０１７１】
リソースマネージャは、リソース割り当て関連の設定および適応を決定してよい。例えば、リソース割り当て関連の設定および適応は、スケジューリングベースのリソース割り当てに対するリソーステンプレートの割り当て、干渉軽減のための、干渉するリンクおよび／もしくは犠牲となるリンクに対するリソーステンプレートの調節、対応するノードに対する干渉軽減アクションの決定および対応する命令の生成、または衝突回避向上のための争奪関連の設定の調節を含んでよいが、限定されない。
【０１７２】
対応するノードに対する干渉軽減アクションの決定および対応する命令の生成は、
干渉軽減のための、干渉するリンクおよび／もしくは犠牲となるリンクに対するリンクリダイレクションの調節、ならびに／または、
協調されたスケジューリング、ならびに／または、
協調されたビーム形成、ならびに／または、
協調された空白化（ｂｌａｎｋｉｎｇ）、他
を含んでよい。
【０１７３】
ＡＰにおいて、ＡＤＳＳの機能性は、ＲＲＣ層およびＭＡＣ層に分散されてよい。具体的に言うと、ＡＰ側におけるＡＤＳＳの機能性は、ＡＤＳＳのＲＲＣモジュールおよびＡＤＳＳのＭＡＣモジュールによって実装されてよい。
【０１７４】
ＲＲＣ層において、ＡＤＳＳのＲＲＣモジュールは、リンク固有のサウンディングのリソース割り当ておよび適応のために使用されてよい。ＡＤＳＳのＲＲＣモジュールは、ＳＲＵマネージャおよびＲＲＣのＡＤＳＳマネージャを含んでよい。ＳＲＵマネージャは、ＳＲＵのリソースを管理する。言い換えると、ＳＲＵマネージャは、設定されたＤＳＳＩのパターンに従って、それぞれのリンクに対するＳＲＵのリソースの割り当てを管理してよい。ＲＲＣのＡＤＳＳマネージャは、サウンディングのリソースの輻輳時に、リンク固有のＡＤＳＳの設定ポリシを調節し、指向性サウンディングおよびセンシングの報告を管理してよい。
【０１７５】
ＭＡＣ層において、ＡＤＳＳのＭＡＣモジュールは、ＡＤＳＳを実施するため、およびＡＰ側におけるＡＤＳＳのＲＲＣモジュールなどの、より高い層のＡＤＳＳモジュールからの命令に従って、リソースを使用するために使用される。ＡＤＳＳのＭＡＣモジュールは、ＡＤＳＳのエグゼキュータおよびリソース割り当てのエグゼキュータを含んでよい。ＡＤＳＳのエグゼキュータは、ＴＸリンクに対して割り当てられたＳＲＵで送信機のために指向性サウンディング信号の送信を決定し、ＲＸリンクに対して指向性センシングを実施する。リソース割り当てのエグゼキュータは、リソース割り当て、または上位のユニットからのリソース割り当ての方針に従って、データの送信および受信を決定する。例えば、１つのリンクにトラフィックが到達している場合、リソース割り当てのエグゼキュータは、ＣＣＵのリソースマネージャから受信されたスケジューリングテンプレートに基づいて、リソースをスケジュールしてよい。さらに、リソース割り当てのエグゼキュータは、設定されたポリシおよびパラメータに従って、サウンディングのリソース使用率をＣＣＵに報告してよい。
【０１７６】
例として、ＡＤＳＳのエグゼキュータは、図９におけるステップＳ９２０、図１１におけるステップＳ１１２０、図１６におけるステップＳ１６２０、または図１８におけるＳ１８３０を実施してよい。また、設定マネージャは、図２０におけるセンシングユニット２０２０、または図２１におけるセンシングユニット２１３０として機能してよい。
【０１７７】
例として、リソース割り当てのエグゼキュータは、図１６におけるステップＳ１６３０を実施してよい。また、リソース割り当てのエグゼキュータは、図２０における割り当てユニット２０３０として機能してよい。
【０１７８】
クライアント無線ノードにおいて、対応するピアであるＡＤＳＳのプロトコルエンティティ、すなわち、ＲＲＣ層におけるＡＤＳＳのＲＲＣモジュール、およびＭＡＣ層におけるＡＤＳＳのＭＡＣモジュールがある。
【０１７９】
ＡＤＳＳのＲＲＣモジュールは、サービングＡＰから、ピアであるＡＤＳＳのＲＲＣモジュールからの設定を受信し、ローカルなＡＤＳＳの機能性モジュールを設定してよい。そのほかに、ＡＤＳＳのＲＲＣモジュールは、クライアント無線ノードがリンクの受信ノードとしてサーブする場合、センシング結果を生成してもよい。
【０１８０】
例えば、クライアント無線ノード内のＡＤＳＳのＲＲＣモジュールは、図９におけるステップＳ９１０または図１１におけるステップＳ１１１０を実施してよい。クライアント無線ノードがリンクの受信ノードとしてサーブする場合、クライアント無線ノード内のＡＤＳＳのＲＲＣモジュールは、図９におけるステップＳ９３０を実施してもよい。
【０１８１】
ＡＤＳＳのＭＡＣモジュールは、クライアント無線ノードがリンクの送信ノードとしてサーブする場合、指向性サウンディング信号の送信をスケジュールしてよく、クライアント無線ノードがリンクの受信ノードとしてサーブする場合、指向性センシング信号の受信をスケジュールしてよい。その上、クライアント無線ノードが受信ノードとしてサーブする場合、クライアント無線ノードのＡＤＳＳのＭＡＣモジュールは、センシング結果を生成し、設定に従って、センシング結果をＲＲＣ層に送ってもよい。
【０１８２】
例えば、クライアント無線ノード内のＡＤＳＳのＭＡＣモジュールは、図９におけるステップＳ９３０を実施してよい。
【０１８３】
図２５は、本開示による、例示的な設定のシグナリングフローを概略的に図示する。
【０１８４】
図２５ａに示されるように、ＣＣＵは、（設定情報とも呼ばれる）サウンディングおよびセンシング関連の設定に関する情報をＡＰのＡＤＳＳのＲＲＣモジュールに送ってよい。次に、ＡＰのＡＤＳＳのＲＲＣモジュールは、情報に従って設定される。図２５ｂに図示されるように、ＡＰのＡＤＳＳのＲＲＣモジュールは、クライアント無線ノードのＡＤＳＳのＲＲＣモジュール（すなわち、図２４に図示されるようなクライアント無線ノード内のＡＤＳＳのＲＲＣモジュール）に設定情報を送ってよい。次に、図２５ｃおよび図２５ｄにおいて、ＡＰまたはクライアント無線ノードのどちらかに対して、個々のＡＤＳＳのＲＲＣモジュールは、設定情報に従って、個々のＡＤＳＳのＭＡＣモジュールを設定することになる。設定情報は、ＡＤＳＳ関連のパラメータ、例えば、ＤＳＳＰの開始および長さ、ＤＳＳＩの開始および長さ、ＤＳＳＩのパターン、ＳＲＵの割り当てならびに指向性センシングおよび測定のための設定、測定報告関連の設定、指向性サウンディング信号の送信に関連した設定（例えば、ＴＸ電力）を指示してよい。
【０１８５】
図２６は、本開示による、例示的なセンシング結果のシグナリングフローを概略的に図示する。
【０１８６】
センシング結果は、受信ノードにおいて処理され、測定報告に出力する。リンクのそれぞれの受信ノードは、ＭＡＣ層におけるリンクに対するセンシング結果を生成し、受信ノードのＡＤＳＳのＲＲＣモジュールに測定報告を送ってよい（図２６ａ）。受信ノードがＡＰである場合、測定報告は、ＡＰのＡＤＳＳのＲＲＣモジュールによって、直接、ＣＣＵに送られる（図２６ｂ）。受信ノードがクライアント無線ノードである場合、測定報告は、ＡＰの、ピアであるＡＤＳＳのＲＲＣモジュールに最初に送られ、次いでＡＰのピアであるＡＤＳＳのＲＲＣモジュールは、測定報告をＣＣＵに転送する（図２６ｃ）。ＣＣＵは、ＡＰのＡＤＳＳのＲＲＣモジュールを設定情報で一旦設定してよく、ＡＰのＡＤＳＳのＲＲＣモジュールは、設定情報を格納し、その後、新しいリンクのために、格納された設定情報で、ＡＰがサーブするリンクを設定してよい。
【０１８７】
複数のリンクをサーブするＡＰのために、ＡＰのＡＤＳＳのＲＲＣモジュールは、オーバヘッドを節約するために、複数のリンクに関するセンシング報告をさらに統合し、統合されたセンシング結果をＣＣＵに送ってよい。
【０１８８】
図２７は、本開示による、スケジューリングベースのリソース割り当てに対する例示的なシグナリングフローを概略的に図示する。
【０１８９】
本開示によれば、トラフィックの変動が発生するとき、１つのリンクに対して割り当てられたリソーステンプレートは、動的に調節されてよい。１つの例において、リンクが（例えば、テンプレートによる）アサインされた許容値より高いデータレートを必要とするとき、このリンクをサーブするＡＰは、テンプレート許容値リクエスト（Ｔｅｍｐｌａｔｅ  Ｇｒａｎｔ  Ｒｅｑｕｅｓｔ）の許可（ＧＲＡ）をＣＣＵに送ってよい。レスポンスとして、ＣＣＵ内のリソースマネージャは、テンプレート許容値割り当て（Ｔｅｍｐｌａｔｅ  Ｇｒａｎｔ  Ａｌｌｏｃａｔｉｏｎ）（ＴＧＡ）メッセージを介して、新しいリソーステンプレートで、リンクに対してより多くのリソースを割り当ててよい。同様に、リンクが、アサインされた許容値より低いデータレートを必要とするとき、ＡＰは、ＧＲＡをＣＣＵに送ってよく、ＣＣＵは、ＣＣＵのリソースマネージャによって、ＴＧＡメッセージを介して、新しいリソーステンプレートでリンクに対してより少ないリソースを割り当ててよい。
【０１９０】
本開示は、本開示の実施形態を参照しながら、上記で説明される。しかし、これらの実施形態は、本開示を限定するのではなく、例証的な目的のためだけに、提供される。本開示の範囲は、添付の特許請求の範囲、およびその均等物によって規定される。当業者は、本開示の範囲から逸脱することなく、様々に変更および修正を行ってよく、これらは、すべて、本開示の範囲に分類される。
【図１】
0006538208.tif 000004
【図２】
0006538208.tif 000005
【図３】
0006538208.tif 000006
【図４】
0006538208.tif 000007
【図５】
0006538208.tif 000008
【図６】
0006538208.tif 000009
【図７】
0006538208.tif 000010
【図８】
0006538208.tif 000011
【図９】
0006538208.tif 000012
【図１０】
0006538208.tif 000013
【図１１】
0006538208.tif 000014
【図１２】
0006538208.tif 000015
【図１３】
0006538208.tif 000016
【図１４】
0006538208.tif 000017
【図１５】
0006538208.tif 000018
【図１６】
0006538208.tif 000019
【図１７】
0006538208.tif 000020
【図１８】
0006538208.tif 000021
【図１９】
0006538208.tif 000022
【図２０】
0006538208.tif 000023
【図２１】
0006538208.tif 000024
【図２２】
0006538208.tif 000025
【図２３】
0006538208.tif 000026
【図２４】
0006538208.tif 000027
【図２５】
0006538208.tif 000028
【図２６】
0006538208.tif 000029
【図２７】
0006538208.tif 000030